(57)【要約】      （修正有）【課題】多くのアンテナ素子で構成されるアレーアンテナを用いて鋭いビームを形成し信号を送信する高周波帯ＦＤ−ＭＩＭＯシステムにおいて、リファレンス信号の送信及び測定結果のフィードバックに関する処理をより効率化する。【解決手段】端末装置２００は、端末装置ごとに割り当てられた無線リソースにおいて基地局から送信された端末固有のリファレンス信号（ＵＥ固有ビームフォームドダウンリンクＣＳＩ−ＲＳ）を前記無線リソース単位で測定し、測定結果を示す情報を基地局に送信する制御部、を備える。【選択図】図１３
2017184000.tif 000002
【特許請求の範囲】
【請求項１】
端末装置ごとに割り当てられた無線リソースにおいて送信された端末固有のリファレンス信号を前記無線リソース単位で測定し、測定結果を示す情報を送信する制御部、
を備える通信装置。
【請求項２】
前記測定結果を示す情報は、送信ビーム形成のために用いられる、請求項１に記載の通信装置。
【請求項３】
前記制御部は、前記無線リソース単位の前記測定結果を示す情報を、サブバンド単位の前記測定結果を示す情報として送信する、請求項１に記載の通信装置。
【請求項４】
前記制御部は、前記サブバンドに含まれる前記無線リソース単位の前記測定結果を示す情報を、サブバンド単位の前記測定結果を示す情報として送信する、請求項３に記載の通信装置。
【請求項５】
前記リファレンス信号の受信強度を示す情報がメジャメントレポートに含まれる、請求項１に記載の通信装置。
【請求項６】
前記通信装置は、端末装置である、請求項１に記載の通信装置。
【請求項７】
前記測定結果を示す情報は、チャネル状態報告である、請求項６に記載の通信装置。
【請求項８】
前記制御部は、物理アップリンク制御チャネルで前記チャネル状態報告を送信する、請求項７に記載の通信装置。
【請求項９】
前記制御部は、前記リファレンス信号を含む前記無線リソースで送信されたデータへのＨＡＲＱ（Ｈｙｂｒｉｄ  Ａｕｔｏｍａｔｉｃ  ｒｅｐｅａｔ−ｒｅｑｕｅｓｔ）応答と共に前記チャネル状態報告を送信する、請求項７に記載の通信装置。
【請求項１０】
前記通信装置は、基地局である、請求項１に記載の通信装置。
【請求項１１】
測定結果を示す情報は、アップリンク送信に使用すべき重み行列の推奨値である、請求項１０に記載の通信装置。
【請求項１２】
端末装置に、前記端末装置ごとに割り当てられた無線リソースにおいて送信された端末固有のリファレンス信号を前記無線リソース単位で測定し、測定結果を示す情報を送信させるための動作モードを示す情報を送信する制御部、
を備える通信装置。
【請求項１３】
前記制御部は、ＲＲＣ接続状態である前記端末装置に、前記リファレンス信号を送信するための前記無線リソースを割り当てる、請求項１２に記載の通信装置。
【請求項１４】
前記動作モードを示す情報は、ＣＳＩレポーティングモード（CSI  reporting  mode）を含む、請求項１２に記載の通信装置。
【請求項１５】
前記動作モードを示す情報は、トランスミッションモードを含む、請求項１２に記載の通信装置。
【請求項１６】
前記無線リソースはダウンリンクである、請求項１２に記載の通信装置。
【請求項１７】
前記制御部は、前記リファレンス信号を送信すること示す情報を、ダウンリンク制御情報に含めて送信する、請求項１６に記載の通信装置。
【請求項１８】
前記制御部は、前記リファレンス信号の送信に用いるアンテナポート数を、ダウンリンク制御情報に含めて送信する、請求項１６に記載の通信装置。
【請求項１９】
前記制御部は、前記リファレンス信号の構成情報を送信する、請求項１６に記載の通信装置。
【請求項２０】
前記無線リソースはアップリンクである、請求項１２に記載の通信装置。
【請求項２１】
前記制御部は、前記リファレンス信号の送信を要求する情報をダウンリンク制御情報に含めて送信する、請求項２０に記載の通信装置。
【請求項２２】
前記リファレンス信号は、前記端末装置によりアップリンクで送信される、請求項２０に記載の通信装置。
【請求項２３】
前記リファレンス信号の送信に用いるアンテナポート数は、ケイパビリティ情報に含めて前記端末装置から送信される、請求項２０に記載の通信装置。
【請求項２４】
端末装置ごとに割り当てられた無線リソースにおいて送信された端末固有のリファレンス信号を前記無線リソース単位で測定し、測定結果を示す情報をプロセッサにより送信すること、
を含む通信方法。
【請求項２５】
端末装置に、前記端末装置ごとに割り当てられた無線リソースにおいて送信された端末固有のリファレンス信号を前記無線リソース単位で測定し、測定結果を示す情報を送信させるための動作モードを示す情報をプロセッサにより送信すること、
を含む通信方法。
【請求項２６】
コンピュータを、
端末装置ごとに割り当てられた無線リソースにおいて送信された端末固有のリファレンス信号を前記無線リソース単位で測定し、測定結果を示す情報を送信する制御部、
として機能させるためのプログラム。
【請求項２７】
コンピュータを、
端末装置に、前記端末装置ごとに割り当てられた無線リソースにおいて送信された端末固有のリファレンス信号を前記無線リソース単位で測定し、測定結果を示す情報を送信させるための動作モードを示す情報を送信する制御部、
として機能させるためのプログラム。
【発明の詳細な説明】
【技術分野】
【０００１】
本開示は、通信装置、通信方法及びプログラムに関する。
【背景技術】
【０００２】
近年のトラフィックの急増に対して無線アクセスの能力向上が急務となっている。高速且つ大容量の無線アクセスネットワークの実現のために、ＵＨＦ（Ultra-High  Frequency）帯の比較的低い周波数を使用するマクロセルと、比較的高い周波数を使用するスモールセルをオーバーレイして配置することが検討されている。また、高周波帯を使用するスモールセルでは、大きな伝搬損失を補償するＦＤ−ＭＩＭＯ（Full-Dimension  multiple-input  and  multiple-output）の利用が検討されている。
【０００３】
例えば、送信装置は、多くのアンテナ素子を二次元に配置するアレーアンテナを用いることで、受信装置の位置に応じた鋭いビームを送信することが可能である。位置に応じた適切なビームを形成するために、例えばリファレンス信号の送信及び測定結果のフィードバックが行う技術が開発されている。
【０００４】
例えば、下記特許文献１では、ｅＮＢが、下りデータ信号用の無線リソース領域でＵＥ固有のＤＭ−ＲＳ（Demodulation  Reference  Signal）をＵＥに送信し、ＵＥが、ＤＭ−ＲＳに基づきチャネル品質情報を測定してｅＮＢに報告する技術が開示されている。
【０００５】
また、下記非特許文献１では、ＵＥ固有のＣＳＩ−ＲＳが開示されている。
【先行技術文献】
【特許文献】
【０００６】
【特許文献１】特開２０１４−０２７４３０号公報
【非特許文献】
【０００７】
【非特許文献１】Industrial  Technology  Research  Institute，“An  overview  of  New  3GPP  RAN1  Features  and  FD-MIMO  Technologies  for  LTE，”２０１５年１０月４日，［２０１６年３月１５日検索］、インターネット<http://3gpptrend.cm.nctu.edu.tw/20151004/1.%20%5b3GPP%20LTE-A%E6%A8%99%E6%BA%96%E5%88%B6%E5%AE%9A%E8%88%875G%E9%80%B2%E5%B1%95%E8%AA%AA%E6%98%8E%E6%9C%83%5d%2020151004%20Rel_13_RAN1_FD-MIMO%20(%E6%95%99%E6%9D%90%E7%89%88)_%E9%83%AD%E7%A7%89%E8%A1%A1%E5%8D%9A%E5%A3%AB.pdf>
【発明の概要】
【発明が解決しようとする課題】
【０００８】
上記の特許文献１及び非特許文献１などで提案されている技術は、ＦＤ−ＭＩＭＯを活用するための技術として十分であるとはいいがたい。例えば、リファレンス信号の送信及び測定結果のフィードバックに関する処理の効率化も、十分ではないものの一つである。
【課題を解決するための手段】
【０００９】
本開示によれば、端末装置ごとに割り当てられた無線リソースにおいて送信された端末固有のリファレンス信号を前記無線リソース単位で測定し、測定結果を示す情報を送信する制御部、を備える通信装置が提供される。
【００１０】
また、本開示によれば、端末装置に、前記端末装置ごとに割り当てられた無線リソースにおいて送信された端末固有のリファレンス信号を前記無線リソース単位で測定し、測定結果を示す情報を送信させるための動作モードを示す情報を送信する制御部、を備える通信装置が提供される。
【００１１】
また、本開示によれば、端末装置ごとに割り当てられた無線リソースにおいて送信された端末固有のリファレンス信号を前記無線リソース単位で測定し、測定結果を示す情報をプロセッサにより送信すること、を含む通信方法が提供される。
【００１２】
また、本開示によれば、端末装置に、前記端末装置ごとに割り当てられた無線リソースにおいて送信された端末固有のリファレンス信号を前記無線リソース単位で測定し、測定結果を示す情報を送信させるための動作モードを示す情報をプロセッサにより送信すること、を含む通信方法が提供される。
【００１３】
また、本開示によれば、コンピュータを、端末装置ごとに割り当てられた無線リソースにおいて送信された端末固有のリファレンス信号を前記無線リソース単位で測定し、測定結果を示す情報を送信する制御部、として機能させるためのプログラムが提供される。
【００１４】
また、本開示によれば、コンピュータを、端末装置に、前記端末装置ごとに割り当てられた無線リソースにおいて送信された端末固有のリファレンス信号を前記無線リソース単位で測定し、測定結果を示す情報を送信させるための動作モードを示す情報を送信する制御部、として機能させるためのプログラムが提供される。
【発明の効果】
【００１５】
以上説明したように本開示によれば、リファレンス信号の送信及び測定結果のフィードバックに関する処理がより効率化することが可能である。なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１６】
【図１】本開示の一実施形態に係るシステムの概略的な構成の一例を示す説明図である。
【図２】同実施形態に係るシステムの概略的な構成の一例を示す説明図である。
【図３】サブアレー型ＦＤ−ＭＩＭＯの一例を説明するための説明図である。
【図４】サブアレー型ＦＤ−ＭＩＭＯの一例を説明するための説明図である。
【図５】サブアレー型ＦＤ−ＭＩＭＯの一例を説明するための説明図である。
【図６】サブアレー型ＦＤ−ＭＩＭＯの一例を説明するための説明図である。
【図７】サブアレー型ＦＤ−ＭＩＭＯの一例を説明するための説明図である。
【図８】ＣＳＩ−ＲＳのリソースエレメントへのマッピング例を示す図である。
【図９】ＣＳＩ−ＲＳのサブフレームの使用例を示す図である。
【図１０】ＣＳＩ  ｒｅｆｅｒｅｎｃｅ  Ｓｉｇｎａｌ  ｃｏｎｆｉｇｕｒａｔｉｏｎの値が０である場合のリソースエレメントの使用例を示す図である。
【図１１】各レポーティングタイプにおける報告の対象となる帯域幅の違いを説明するための図である。
【図１２】同実施形態に係る基地局の構成の一例を示すブロック図である。
【図１３】同実施形態に係る端末装置の構成の一例を示すブロック図である。
【図１４】第１の実施形態に係るリソース設定の一例を示す図である。
【図１５】アンテナアレーを用いたビームフォーミング技術を説明するための説明図である。
【図１６】アンテナアレーを用いたビームフォーミング技術を説明するための説明図である。
【図１７】第１の実施例に係るシステムにおいて実行される通信処理の流れの一例を示すシーケンス図である。
【図１８】同実施例に係るシステムにおいて実行される通信処理の流れの一例を示すシーケンス図である。
【図１９】第３の実施例に係るシステムにおいて実行される通信処理の流れの一例を示すシーケンス図である。
【図２０】第２の実施形態に係るリソース設定の一例を示す図である。
【図２１】同実施形態に係るシステムにおいて実行される通信処理の流れの一例を示すシーケンス図である。
【図２２】ｅＮＢの概略的な構成の第１の例を示すブロック図である。
【図２３】ｅＮＢの概略的な構成の第２の例を示すブロック図である。
【図２４】スマートフォンの概略的な構成の一例を示すブロック図である。
【図２５】カーナビゲーション装置の概略的な構成の一例を示すブロック図である。
【発明を実施するための形態】
【００１７】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１８】
また、本明細書及び図面において、実質的に同一の機能構成を有する要素を、同一の符号の後に異なるアルファベットを付して区別する場合もある。例えば、実質的に同一の機能構成を有する複数の要素を、必要に応じて端末装置２００Ａ、２００Ｂ及び２００Ｃのように区別する。ただし、実質的に同一の機能構成を有する複数の要素の各々を特に区別する必要がない場合、同一符号のみを付する。例えば、端末装置２００Ａ、２００Ｂ及び２００Ｃを特に区別する必要が無い場合には、単に端末装置２００と称する。
【００１９】
なお、説明は以下の順序で行うものとする。
１．はじめに
１．１．システムの概略的な構成
１．２．ＦＤ−ＭＩＭＯ
１．３．サブアレー型ＦＤ−ＭＩＭＯ構成の例
１．４．従来のチャネル推定用リファレンスシグナル
１．５．従来のチャネル状態報告
１．６．技術的課題
２．構成例
２．１．基地局の構成例
２．２．端末装置の構成
３．第１の実施形態
３．１．第１の実施例
３．２．第２の実施例
３．３．第３の実施例
４．第２の実施形態
５．応用例
６．まとめ
【００２０】
＜＜１．はじめに＞＞
＜１．１．システムの概略的な構成＞
まず、図１及び図２を参照して、本開示の一実施形態に係るシステム１の概略的な構成を説明する。
【００２１】
図１は、本開示の一実施形態に係るシステム１の概略的な構成の一例を示す説明図である。図１を参照すると、システム１は、無線通信装置１００及び端末装置２００を含む。
【００２２】
無線通信装置１００は、配下の装置に無線通信サービスを提供する通信装置である。例えば、無線通信装置１００は、セルラーシステム（又は移動体通信システム）の基地局である。基地局１００は、セル１０１の内部に位置する装置（例えば、端末装置２００）との無線通信を行う。例えば、基地局１００は、端末装置２００のダウンリンク信号を送信し、端末装置２００からのアップリンク信号を受信する。セル１０１は、例えば、ＬＴＥ、ＬＴＥ−Ａ（LTE-Advanced）、ＧＳＭ（登録商標）、ＵＭＴＳ、Ｗ−ＣＤＭＡ、ＣＤＭＡ２００、ＷｉＭＡＸ、ＷｉＭＡＸ２又はＩＥＥＥ８０２．１６などの任意の無線通信方式に従って運用されてよい。
【００２３】
ここでは、基地局１００は、ｅＮｏｄｅＢ（又はｅＮＢ）とも呼ばれる。ここでのｅＮｏｄｅＢは、ＬＴＥ又はＬＴＥ−Ａにおいて定義されているｅＮｏｄｅＢであってもよく、より一般的に通信機器を意味してもよい。また、基地局１００は、マクロセルを形成するマクロセル基地局、又はスモールセルを形成するスモールセル基地局であってもよい。
【００２４】
基地局１００は、他の基地局と例えばＸ２インタフェースにより論理的に接続されており、制御情報等の送受信が可能である。また、基地局１００は、コアネットワークと例えばＳ１インタフェースにより論理的に接続されており、制御情報等の送受信が可能である。なお、これらの装置間の通信は、物理的には多様な装置により中継され得る。
【００２５】
端末装置２００は、セルラーシステム（又は移動体通信システム）において通信可能な通信装置である。端末装置２００は、セルラーシステムの無線通信装置（例えば、基地局１００）との無線通信を行う。例えば、端末装置２００は、基地局１００からのダウンリンク信号を受信し、基地局１００へのアップリンク信号を送信する。
【００２６】
ここでは、端末装置２００は、ユーザとも呼ばれる。当該ユーザは、ＵＥ（User  Equipment）とも呼ばれ得る。ここでのＵＥは、ＬＴＥ又はＬＴＥ−Ａにおいて定義されているＵＥであってもよく、より一般的に通信機器を意味してもよい。
【００２７】
基地局１００は、後述するＦＤ−ＭＩＭＯの機能を有し、端末装置２００への情報を、ビームを用いて送信し得る。
【００２８】
図２は、本開示の一実施形態に係るシステム１の概略的な構成の一例を示す説明図である。図２を参照すると、システム１は、基地局１００、端末装置２００及び中継装置３００を含む。中継装置３００は、基地局１００及び端末装置２００の双方の機能を備える。例えば、中継装置３００は、端末装置２００として機能し、ＦＤ−ＭＩＭＯを使用する基地局１００との通信を行う。また、例えば中継装置３００は、基地局１００として機能し、配下の端末装置２００にＦＤ−ＭＩＭＯを使用して無線通信サービスを提供する。
【００２９】
中継装置３００は、ＵＥ−Ｒｅｌａｙとも呼ばれる。ここでのＵＥ−Ｒｅｌａｙは、いわゆるリレーノードであってもよく、より一般的に通信機器を意味してもよい。
【００３０】
＜１．２．ＦＤ−ＭＩＭＯ＞
近年のトラフィックの急増に対して無線アクセスの能力向上が急務となっている。高速且つ大容量の無線アクセスネットワークの実現のために、ＵＨＦ（Ultra-High  Frequency）帯の比較的低い周波数を使用するマクロセルと、比較的高い周波数を使用するスモールセルをオーバーレイして配置することが検討されている。また、高周波帯を使用するスモールセルでは、大きな伝搬損失を補償するＦＤ−ＭＩＭＯ（Full-Dimension  multiple-input  and  multiple-output）の利用が検討されている。
【００３１】
ＦＤ−ＭＩＭＯでは、多くのアンテナ素子を二次元に配置するアレーアンテナを用いることで、鋭いビームをビルの高層階に向けることが可能である。ＦＤ−ＭＩＭＯでは、チルト角ごとにセクタ化されたビームを使用するなどして、ビルのカバレッジを改善するユースケースが検討されている。例えば、図１に示した例に関しては、基地局１００は、ビルの４階の端末装置２００Ａにはビーム１０２Ａを用いる。同様に、基地局１００は、３階の端末装置２００Ｂ及び２００Ｃにはビーム１０２Ｂを用い、２階の端末装置２００Ｄにはビーム１０２Ｃを用い、１階の端末装置２００Ｅにはビーム１０２Ｄを用いる。このようにして、ビルのカバレッジが改善される。
【００３２】
多くのアンテナ素子で構成されるアレーアンテナを用いて鋭いビームを形成し信号を送信するＦＤ−ＭＩＭＯにおいては、アンテナの重み行列を決定するために多くのリファレンス信号を送信することが求められる。リファレンス信号のオーバーヘッドの問題、ｅＮＢ及びＵＥにおける処理の増大の問題、ｅＮＢの無線装置のコスト増大の問題の解決のため、サブアレー方式のＦＤ−ＭＩＭＯ構成、及びビームフォーミングされたリファレンス信号の採用などが検討されている。
【００３３】
ｅＮＢは、サブアレーごとに割り当てられたセル固有の重み行列を使用してＣＳＩ−ＲＳをビームフォームして送信し得る。このビームフォームされたＣＳＩ−ＲＳを、以下ではセル固有ビームフォームドＣＳＩ−ＲＳ（Cell-specific  beamformed  CSI-RS）とも称する。そして、セル固有ビームフォームドＣＳＩ−ＲＳを検出したＵＥへのデータを送信するために、同一のセル固有ビームを割当てること、即ちセル固有ビームフォームドＣＳＩ−ＲＳと同一のセル固有の重み行列を乗算することも検討されている。さらに、複数のセル固有ビームフォームドＣＳＩ−ＲＳを検出したＵＥには複数のセル固有ビームを割り当て、ＵＥ固有の重み行列と複数のセル固有重み行列とをＵＥへのデータに乗算して送信することも検討されている。その場合、さらに鋭いビームをＵＥに提供して、より良い通信品質及び高速のデータレートを提供することが可能となる。
【００３４】
例えば、高速に移動するＵＥは、セル固有ビームフォームドＣＳＩ−ＲＳを頻繁に測定して報告することが望ましい。ＵＥが実際に測定するセル固有ビームフォームドＣＳＩ−ＲＳは全体の一部に過ぎない。しかし、セル固有ビームフォームドＣＳＩ−ＲＳの送信には多くの無線リソースが利用されるため、送信が頻繁になるにつれてオーバーヘッドが増える問題がある。また、電車又はバス等の高速で移動する乗り物にアレーアンテナを搭載して、乗り物の中の複数のＵＥに対してデータを中継するリレーノードも提案されており、リレーノードのための重み行列を決定する手段も求められている。例えば、図２に示した例に関しては、基地局１００から中継装置３００へのビームのための重み行列を決定する手段、及び中継装置３００から基地局１００へのビームのための重み行列を決定する手段が求められている。
【００３５】
そこで、本開示の一実施形態では、ｅＮＢがＲＲＣ接続状態のＵＥに割り当てるダウンリンクの無線リソースの中に、ｅＮＢが送信するＵＥ固有ビームフォームドダウンリンクＣＳＩ−ＲＳ（UE-specific  beamformed  Downlink  CSI-RS)を配置し、ＵＥが測定結果を報告する仕組みを提案する。これにより、ｅＮＢが、高速で移動するＵＥへＦＤ−ＭＩＭＯのビームを提供し続けることが可能となる。
【００３６】
また、本実施形態では、ｅＮＢがＵＥに割り当てるアップリンクの無線リソースの中に、ＵＥが送信するＵＥ固有アップリンクＣＳＩ−ＲＳ（UE-specific  UL  CSI-RS）を配置し、ｅＮＢからＵＥに送信アンテナ重み係数の推奨値を通知する仕組みを提案する。これにより、高速で移動するＵＥが、ｅＮＢへＦＤ−ＭＩＭＯのビームを提供し続けることが可能となる。なお、ＵＥ固有アップリンクＣＳＩ−ＲＳはビームフォーミングされて送信されてもよいし、ビームフォーミングされずに送信されてもよい。
【００３７】
＜１．３．サブアレー型ＦＤ−ＭＩＭＯ構成の例＞
ＦＤ−ＭＩＭＯでは、アンテナアレーを構成するアンテナ素子数が非常に大きい。そのため、複数個のアンテナ素子に信号を供給するトランシーバーユニット（ＴＸＲＵ）と各アンテナ素子との間にアナログの固定の移相器を置いて構成する事が検討されている（3GPP  TR36.897  v0.1.1）。これにより、ベースバンド（ＢＢ：baseband)回路を簡略化し無線機のコストを低減することが可能となる。また、全てのアンテナ素子に対する重み係数を調整するのに比べて、鋭いビームを維持しながらユーザ毎に調整する重み行列のサイズが限定されるので、処理負荷を軽減することが可能となる。
【００３８】
例えばＭ×Ｎのアンテナ素子で構成されるアンテナアレーにおいて、垂直（vertical）方向のＭ個のアンテナ素子をサブアレーに分けてＴＸＲＵと接続する場合、垂直方向のＴＸＲＵの個数をＭＴＸＲＵとすると、ＴＸＲＵの全数量はＭＴＸＲＵ×Ｎとなる。ＴＸＲＵから放射されるビームのチルト角をθetiltとすると、ＴＸＲＵとアンテナ素子間の重み係数ｗは次式で表される。
【００３９】
【数１】
2017184000.tif 000003
【００４０】
以下、図３〜図７を参照して、上述したサブアレー型のアンテナアレーによるビーム送信処理について具体的に説明する。
【００４１】
図３〜図７は、サブアレー型ＦＤ−ＭＩＭＯの一例を説明するための説明図である。
【００４２】
図３では、ＴＸＲＵとアンテナ素子との接続例が示されている。図３に示すように、インデックスｍ´＝１のＴＸＲＵは、Ｋ＝４個のアンテナ素子に接続され、重み係数ｗ１〜ｗ４が対応付けられる。また、インデックスｍ´＝２のＴＸＲＵは、Ｋ＝４個のアンテナ素子に接続され、重み係数ｗ５〜ｗ８が対応付けられる。
【００４３】
図４では、Ｍ＝８、Ｎ＝８の６４素子で構成されるアンテナアレーが１６個のＴＸＲＵに接続される例が示されている。例えば、垂直方向の４個のアンテナ素子によりサブアレーが形成され、サブアレーごとに異なるＴＸＲＵに接続される。図４に示すＴＸＲＵに付される番号は、ＴＸＲＵのインデックスである。他の図においても同様である。ＴＸＲＵ１、３、５、７、９、１１、１３、及び１５に対応付けられる重み係数は、共通してｗ１〜ｗ４であってもよいし、各々異なっていてもよい。また、ＴＸＲＵ２、４、６、８、１０、１２、１４、及び１６に対応付けられる重み係数は、共通してｗ５〜ｗ８であってもよいし、各々異なっていてもよい。
【００４４】
図５では、ＣＳＩ−ＲＳがアンテナアレーにより形成されるビームを用いて送信される例が示されている。図５に示すＣＳＩ−ＲＳに付される番号は、ＣＳＩ−ＲＳのインデックスである。例えば、ビーム１０３Ａは、ＴＸＲＵ１に接続されたアンテナ素子から送信され、ＣＳＩ−ＲＳ１を搬送する。また、ビーム１０３Ｂは、ＴＸＲＵ２に接続されたアンテナ素子から送信され、ＣＳＩ−ＲＳ２を搬送する。この各々のビームにより搬送されるＣＳＩ−ＲＳは、セル固有ビームフォームドＣＳＩ−ＲＳであってもよい。
【００４５】
図６では、Ｍ＝８、Ｎ＝８、ＭＴＸＲＵ＝２の場合にＴＸＲＵから放射されるビームパターンの一例が示されている。全てのＴＸＲＵが同じ重み係数ｗを使用し、ビームが同じ指向性を持っていても良い。
【００４６】
図７では、ＰＤＳＣＨ（Physical  Downlink  Shared  Channel）及びＤＭ−ＲＳがアンテナアレーにより形成されるビームを用いて送信される例が示されている。図７に示すように、ＰＤＳＣＨ及びＤＭ−ＲＳは、リソースエレメントマッピングされ、プリウェイトｗ９又はｗ１０が乗算されて、各ＴＸＲＵに入力される。ビーム１０４Ａは、ＴＸＲＵ１に接続されたアンテナ素子から送信される。また、ビーム１０４Ｂは、ＴＸＲＵ２に接続されたアンテナ素子から送信される。そして、ビーム１０４Ｃは、ＴＸＲＵ１及びＴＸＲＵ２に接続されたアンテナ素子から送信され、ＰＤＳＣＨ及びＤＭ−ＲＳを搬送する。図７のように、各ＴＸＲＵに更に適切なプリウェイトｗ９及びｗ１０を挿入する重み行列が乗算されれば、ＰＤＳＣＨのビームは更に鋭いビームを形成する事が出来る。例えば、ｅＮＢは、ＵＥのチャネル状態報告から、ＰＤＳＣＨのビームが最適となるようＴＸＲＵの前段に置くプリウェイトｗ９及びｗ１０を調節しても良い。
【００４７】
＜１．４．従来のチャネル推定用リファレンスシグナル＞
ＣＳＩ−ＲＳは、変調方式の決定、ＭＩＭＯおよびビームフォーミングのアンテナ重み係数の決定等のための、ダウンリンクのチャネル推定のためのリファレンスシグナルである。ＵＥは、ＣＳＩ−ＲＳを受信しチャネル推定結果をチャネル状態報告としてｅＮＢに報告する。
【００４８】
ＣＳＩ−ＲＳを構成するリファレンス信号の数（例えば、１，２，４又は８）に応じてアンテナポート１５〜２２が使用される。図８は、ＣＳＩ−ＲＳのリソースエレメントへのマッピング例を示す図である。
【００４９】
ＣＳＩ−ＲＳが送信されるアンテナポート、ＣＳＩ−ＲＳが挿入されるリソースエレメントの位置、及びＣＳＩ−ＲＳが挿入されるサブフレームに関する情報などは、ＣＳＩ−ＲＳ情報（CSI  Reference  Signal  Information）によりＲＲＣシグナリングを用いてＵＥに通知される。ＣＳＩ−ＲＳ情報の通知のためのメッセージの構成の一例を、下記の表１に示した。下記表１に示すように、当該メッセージには、Ａｎｔｅｎｎａ  ｐｏｒｔ  ｃｏｕｎｔ，ＣＳＩ  ｒｅｆｅｒｅｎｃｅ  Ｓｉｇｎａｌ  ｃｏｎｆｉｇｕｒａｔｉｏｎ，Ｓｕｂｆｒａｍｅ  ｃｏｎｆｉｇｕｒａｔｉｏｎ等が含まれる。
【００５０】
【表１】
2017184000.tif 000004
【００５１】
Ａｎｔｅｎｎａ  ｐｏｒｔ  ｃｏｕｎｔは、ＣＳＩ−ＲＳを構成するアンテナポートの数（１，２，４  ｏｒ  ８）を示す。ここでは一例として、アンテナポート数は８であるものとする。
【００５２】
ＣＳＩ  ｒｅｆｅｒｅｎｃｅ  Ｓｉｇｎａｌ  ｃｏｎｆｉｇｕｒａｔｉｏｎは、０〜３１の値である。そして、当該値により、３ＧＰＰ  ＴＳ３６．２１１  ｔａｂｌｅ６．１０．５．２−１等に規定されるルックアップテーブル（Look-up  table）において、ＣＳＩ−ＲＳが使うリソースエレメント（ｋ，ｌ）とｔｉｍｅ  ｓｌｏｔとが決まる。８アンテナポートの場合には、アンテナポート１５，１６のリソースエレメントがルックアップテーブルで規定され、その他のアンテナポートが使用するリソースエレメントの周波数オフセット値が、下記表の２のようになる。
【００５３】
【表２】
2017184000.tif 000005
【００５４】
図９は、ＣＳＩ  ｒｅｆｅｒｅｎｃｅ  Ｓｉｇｎａｌ  ｃｏｎｆｉｇｕｒａｔｉｏｎの値が０である場合のリソースエレメントの使用例を示す図である。８アンテナポートを使用してＣＳＩ−ＲＳを送信する場合、図９に示す通り、アンテナポート１５〜２２が使用するリソースエレメント位置は、それぞれ番号が同一のスロット上の（９，５），（９，５），（３，５），（３，５），（８，５），（８，５），（２，５），（２，５）となる。なお、上記の括弧内の数字の各々は、リソースブロック内のサブキャリアのインデックス及びシンボルのインデックスである。また、図９では、ｎｏｒｍａｌ  ＣＰを想定している。
【００５５】
Ｓｕｂｆｒａｍｅ  ｃｏｎｆｉｇｕｒａｔｉｏｎは、０〜１５４の値である。そして、当該値により、３ＧＰＰ  ＴＳ３６．２１１  ｔａｂｌｅ６．１０．５．３−１に規定されるルックアップテーブルにおいて、ＣＳＩ−ＲＳ  ｐｅｒｉｏｄｉｃｉｔｙとＣＳＩ−ＲＳ  ｓｕｂｆｒａｍｅ  ｏｆｆｓｅｔとが与えられる。図１０は、ＣＳＩ−ＲＳのサブフレームの使用例を示す図である。図１０に示すように、ＳＦＮ（System  Frame  Number）＝０からＣＳＩ−ＲＳ  ｓｕｂｆｒａｍｅ  ｏｆｆｓｅｔ後に、ＣＳＩ−ＲＳが送信され、さらにＣＳＩ−ＲＳ  ｐｅｒｉｏｄｉｃｉｔｙ後にもＣＳＩ−ＲＳが送信される。
【００５６】
ＬＴＥリリース１２では、ＵＥに３個までのＣＳＩ−ＲＳコンフィギュレーションを割り当てることが可能である。ＵＥは、ｅＮＢから通知されたＣＳＩ−ＲＳコンフィギュレーションごとに、チャネル状態報告を行う。
【００５７】
＜１．５．従来のチャネル状態報告＞
チャネル状態報告には、周期的（Periodic）か非周期的（Aperiodic）か、ワイドバンド（ｗｉｄｅｂａｎｄ）かサブバンド（ｓｕｂ−ｂａｎｄ）か、ＰＭＩの報告が必要か否かの種別がある。これらの種別は、ＣＳＩレポーティングモード（CSI  reporting  mode）として区別される。ＣＳＩレポーティングモードはＲＲＣメッセージでＵＥにシグナリングされるＣＱＩ−ＲｅｐｏｒｔＣｏｎｆｉｇにより、ＵＥに通知される。ＣＳＩレポーティングモードの一覧を、下記の表３に示した。
【００５８】
【表３】
2017184000.tif 000006
【００５９】
表３におけるレポーティングタイプ（Type  of  Reporting）の別は、報告の対象となる帯域幅に対応する。この点について、図１１を参照して説明する。
【００６０】
図１１は、各レポーティングタイプ（Type  of  Reporting）における報告の対象となる帯域幅の違いを説明するための図である。図１１に示すように、レポーティングタイプが「Wideband」である場合、チャネル帯域幅の全体のＣＱＩが報告される。また、レポーティングタイプが「Configured  Sub-band」である場合、チャネル帯域幅の全体を分割した、所定のサブバンドごとにＣＱＩが報告される。また、レポーティングタイプが「UE  Selected  Sub-band」である場合、チャネル帯域幅のうち一部の推奨サブバンドのＣＱＩが報告される。下記の表５は、レポーティングタイプが「UE  selected  sub-band」である場合のサブバンドとリソースブロックとの関係の一覧を示す。下記の表４に示すように、例えば５ＭＨｚ帯は２５個のリソースブロックを含み、１つのサブバンドは２つのリソースブロックから成り、推奨サブバンドは３つのサブバンドである。
【００６１】
【表４】
2017184000.tif 000007
【００６２】
例えば、ＣＳＩレポーティングモード２−２（ＵＥ  ｓｅｌｅｃｔｅｄ  ｓｕｂ−ｂａｎｄ  ｒｅｐｏｒｔｉｎｇ  ｗｉｔｈ  ＰＭＩ）において、推奨サブバンドで送信するための推奨プリコーディングマトリクス、トランスミッションモード９における８個のＣＳＩ−ＲＳが使用される場合を想定する。その場合、ＵＥは、ｗｉｄｅｂａｎｄに対応するＰＭＩ＿１、推奨ｓｕｂ−ｂａｎｄｓに対応するＰＭＩ＿２、推奨プリコーディングマトリクスが使用されて推奨サブバンドで送信されるものと仮定した場合のコードワードごとのシングルＣＱＩ、及び推奨サブバンドの位置を報告することが求められる。また、ＵＥは、全帯域で送信されるものと仮定した推奨プリコーディングマトリクス、及び推奨プリコーディングマトリクスが使用されて全帯域で送信されるものと仮定した場合のコードワードごとのシングルＣＱＩを報告することが求められる。
【００６３】
チャネル状態報告のタイミングについて説明する。
【００６４】
非周期的ＣＳＩレポーティング（Aperiodic  CSI  reporting）の場合、例えばＰＤＣＣＨ（Physical  Downlink  Control  Channel）上のＤＣＩフォーマット０又は４によるＣＳＩリクエスト（CSI  Request）でトリガされる。下記の表５に、ＣＳＩリクエストのビット列及び内容の一覧を示す。
【００６５】
【表５】
2017184000.tif 000008
【００６６】
そして、ＦＤＤ（Frequency  Division  Duplex）端末は、ＣＳＩリクエストを受信した４サブフレーム後に、ＣＳＩレポート（CSI  report）を送る。
【００６７】
周期的ＣＳＩレポーティング（Periodic  CSI  reporting）の場合、報告周期はＣＱＩ−ＰＭＩコンフィギュレーションインデックス（CQI-PMI  Configuration  Index）として、ＲＲＣメッセージでＵＥにシグナリングされる。
【００６８】
ＵＥからのチャネル状態報告は、ｅＮＢからの要求に応じてＵＣＩ（Uplink  Control  Information）でｅＮＢに送られる。ＵＣＩは、周期的ＣＳＩレポーティングの場合はＰＵＣＣＨ（Physical  Uplink  Control  Channel）又はＰＵＳＣＨ（Physical  Uplink  Shared  Channel）が利用され、非周期的レポーティングの場合はＰＵＳＣＨが利用される。ＰＵＳＣＨが利用される場合、ＵＣＩはデータと多重して送信されてもよい。
【００６９】
ＵＣＩには、以下の情報が含まれる。
・Channel  State  Information  （CSI）
−Channel  Quality  Indicators  （CQI）
−Precoding  Matrix  Indicators  （PMI）
−Precoding  Type  Indicators  （PTI）
−Rank  Indicators  （RI）
・Scheduling  Requests  （SR）
・HARQ  Acknowledgements
【００７０】
複数種類のＣＳＩ−ＲＳのリソース設定及び複数のレポートのタイミングの設定等は、ＣＳＩプロセスごとに設定可能である。具体的には、ＣＳＩ−ＲＳコンフィギュレーション及びＣＱＩ−ＰＭＩ構成インデックスは、ＣＳＩプロセスＩＤ（CSI-Process  Identifier）と関連付けられる。
【００７１】
以上説明したように、従来のチャネル状態報告の方法では、例えばＵＥに割り当てたリソースブロック内にビームフォーミングされたＣＳＩ−ＲＳを送信して報告させるという方法を想定した場合に、オーバーヘッドが大きくなるという問題があった。詳しくは、例えばレポーティングモード２−２（UE  selected  sub-band  reporting  with  PMI）が指定された場合、ＵＥは、指定するサブバンドに対する推奨ＰＭＩ及びＣＱＩだけでなく、全チャネル帯域幅に対する推奨ＰＭＩ及びＣＱＩを報告することが要求されていた。また、サブバンドを構成するリソースブロックは、チャネル全帯域幅によって異なるが少なくとも１よりは大きい。つまり、例えば１つのリソースブロックに対する推奨ＰＭＩを報告することが困難であるという問題がある。
【００７２】
＜１．６．技術的課題＞
第１の課題について説明する。ｅＮＢからは多種のＣＳＩ−ＲＳを送信し得るが、個々のＵＥが受信可能なセル固有ビームフォームドＣＳＩ−ＲＳはごく一部に限られる。移動速度の速いＵＥは、適切なビームの割り当てを受けるために頻繁に測定しＰＭＩを報告することが望ましい。しかしながら、セル固有ビームフォームドＣＳＩ−ＲＳを頻繁に送ることは、オーバーヘッドの問題上困難であった。
【００７３】
第２の課題について説明する。移動するＵＥにビームを追従させるために、ＵＥに割り当てたリソースブロックにおいてＵＥ固有のＣＳＩ−ＲＳを送る場合を想定する。その場合、ＵＥに割り当てるリソースは、リソースブロック数及びリソースブロック位置がその時々のスケジューリングで異なるため、従来のチャネル状態報告に必要とされるリソースブロック数を満たすことが困難であった。
【００７４】
第３の課題について説明する。ＵＥに割り当てたリソースブロックにおいてＵＥ固有のＣＳＩ−ＲＳを送ろうとした場合、ＵＥの移動速度によってはＵＥ固有のＣＳＩ−ＲＳの割り当てが適切とは限らず、ビーム割り当てをやり直す必要が出る場合があり得る。
【００７５】
第４の課題について説明する。多素子アンテナで構成されるアレーアンテナを搭載したＵＥが送信重み行列を決定するための、ｅＮＢからのフィードバック等の手段が規定されていなかった。
【００７６】
＜＜２．構成例＞＞
以下では、各実施形態において共通する基地局１００及び端末装置２００の構成の一例を説明する。
＜２．１．基地局の構成例＞
図１２を参照して、本開示の一実施形態に係る基地局１００の構成の一例を説明する。図１２は、本開示の一実施形態に係る基地局１００の構成の一例を示すブロック図である。図１２を参照すると、基地局１００は、アンテナ部１１０、無線通信部１２０、ネットワーク通信部１３０、記憶部１４０及び制御部１５０を備える。
【００７７】
（１）アンテナ部１１０
アンテナ部１１０は、無線通信部１２０により出力される信号を電波として空間に放射する。また、アンテナ部１１０は、空間の電波を信号に変換し、当該信号を無線通信部１２０へ出力する。
【００７８】
（２）無線通信部１２０
無線通信部１２０は、信号を送受信する。例えば、無線通信部１２０は、端末装置へのダウンリンク信号を送信し、端末装置からのアップリンク信号を受信する。
【００７９】
（３）ネットワーク通信部１３０
ネットワーク通信部１３０は、情報を送受信する。例えば、ネットワーク通信部１３０は、他のノードへの情報を送信し、他のノードからの情報を受信する。例えば、上記他のノードは、他の基地局及びコアネットワークノードを含む。
【００８０】
（４）記憶部１４０
記憶部１４０は、基地局１００の動作のためのプログラム及び様々なデータを一時的に又は恒久的に記憶する。
【００８１】
（５）制御部１５０
制御部１５０は、基地局１００の様々な機能を提供する。基地局１００は、制御部１５０による制御に基づき動作する。制御部１５０による制御に基づく基地局１００の動作については、後に詳しく説明する。
【００８２】
＜２．２．端末装置の構成＞
図１３を参照して、本開示の一実施形態に係る端末装置２００の構成の一例を説明する。図１３は、本開示の一実施形態に係る端末装置２００の構成の一例を示すブロック図である。図１３を参照すると、端末装置２００は、アンテナ部２１０、無線通信部２２０、記憶部２３０及び制御部２４０を備える。
【００８３】
（１）アンテナ部２１０
アンテナ部２１０は、無線通信部２２０により出力される信号を電波として空間に放射する。また、アンテナ部２１０は、空間の電波を信号に変換し、当該信号を無線通信部２２０へ出力する。
【００８４】
（２）無線通信部２２０
無線通信部２２０は、信号を送受信する。例えば、無線通信部２２０は、基地局からのダウンリンク信号を受信し、基地局へのアップリンク信号を送信する。
【００８５】
（３）記憶部２３０
記憶部２３０は、端末装置２００の動作のためのプログラム及び様々なデータを一時的に又は恒久的に記憶する。
【００８６】
（４）制御部２４０
制御部２４０は、端末装置２００の様々な機能を提供する。端末装置２００は、制御部２４０による制御に基づき動作する。制御部２４０による制御に基づく端末装置２００の動作については、後に詳しく説明する。
【００８７】
＜＜３．第１の実施形態＞＞
本実施形態は、基地局１００がＵＥ固有ビームフォームドダウンリンクＣＳＩ−ＲＳを送信する形態である。
【００８８】
＜３．１．第１の実施例＞
本実施例は、ＵＥ固有ビームフォームドダウンリンクＣＳＩ−ＲＳを測定報告の対象とするレポーティングモードを新たに追加した実施例である。
【００８９】
（１）ビームフォーミングされたＣＳＩ−ＲＳの送信
基地局１００は、ビームフォーミングされたＣＳＩ−ＲＳを送信する。ここでのビームフォーミングされたＣＳＩ−ＲＳとは、セル固有ビームフォームドＣＳＩ−ＲＳであってもよいし、ＵＥ固有ビームフォームドダウンリンクＣＳＩ−ＲＳであってもよい。
【００９０】
基地局１００は、ＲＲＣ接続状態である端末装置２００に、ＵＥ固有ビームフォームドダウンリンクＣＳＩ−ＲＳを送信するための無線リソースを割り当てる。本実施例では、この無線リソースは、ダウンリンクである。以下、図１４を参照して、ＵＥ固有ビームフォームドダウンリンクＣＳＩ−ＲＳを含むダウンリンクのリソース設定の一例を説明する。
【００９１】
図１４は、本実施形態に係るリソース設定の一例を示す図である。図１４に示すように、同期信号（ＰＳＳ（Primary  Synchronization  Signal）及びＳＳＳ（Secondary  Synchronization  Signal））は、６個のリソースブロックを用いて送信される。また、セル固有ビームフォームドＣＳＩ−ＲＳは、チャネル帯域幅全体に渡って送信される。これらの信号は、配下の端末装置２００全体に対して送信される。一方で、端末装置２００ごとの信号は、端末装置２００ごとにリソースブロックが割り当てられ、当該リソースブロックにおいて送信される。図１４に示すように、端末装置２００ごとに割り当てられるリソースブロックにおいて、ＣＲＳ（Cell-specific  Reference  Signal）、ＤＭ−ＲＳ、及びＵＥ固有ビームフォームドダウンリンクＣＳＩ−ＲＳが送信される。ここで、ＵＥ固有ビームフォームドダウンリンクＣＳＩ−ＲＳに割り当てられる４つのリソースエレメントは、４つのアンテナポートに対応する。
【００９２】
ビームフォーミングは、複数のアンテナ素子を含むアンテナアレーを用いることで行われる。以下、図１５及び図１６を参照して、アンテナアレーを用いたビームフォーミング技術について説明する。
【００９３】
図１５は、アンテナアレーを用いたビームフォーミング技術を説明するための説明図である。図１５では、Ｍ＝８、Ｎ＝８の６４素子で構成されるアンテナアレーが８個のＴＸＲＵに接続される例が示されている。例えば、アンテナ素子とＴＸＲＵとの間に、アナログの固定の位相器が設置されるものとする。各ＴＸＲＵからはＣＳＩ−ＲＳが、８個のアンテナ素子で構成されるサブアレーにより、各々の重み係数ｗが乗算され、ビームフォーミングされて送信される。例えば、ＴＸＲＵ１からのＣＳＩ−ＲＳには重み係数ｗ１１〜ｗ１８が乗算され、ＴＸＲＵ２からのＣＳＩ−ＲＳには重み係数ｗ２１〜ｗ２８が乗算され、ＴＸＲＵ３からのＣＳＩ−ＲＳには重み係数ｗ３１〜ｗ３８が乗算され、ＴＸＲＵ４からのＣＳＩ−ＲＳには重み係数ｗ４１〜ｗ４８が乗算される。
【００９４】
図１６は、アンテナアレーを用いたビームフォーミング技術を説明するための説明図である。図１６では、８個のＴＸＲＵから送信される８個のＣＳＩ−ＲＳビームのうち４個のみが図示されている。残り４個のＣＳＩ−ＲＳビームは別の方角に向けられていても良い。例えば、ビーム１０５Ａは、ＴＸＲＵ１に接続されたアンテナ素子から送信され、ビーム１０５Ｂは、ＴＸＲＵ２に接続されたアンテナ素子から送信され、ビーム１０５Ｃは、ＴＸＲＵ３に接続されたアンテナ素子から送信され、ビーム１０５Ｄは、ＴＸＲＵ４に接続されたアンテナ素子から送信される。例えば、端末装置２００Ｄは、ビーム１０５Ｃ及び１０５Ｄを受信可能であるとする。その場合、端末装置２００Ｄは、ビーム１０５Ｃ及び１０５Ｄにより送信されたＣＳＩ−ＲＳを測定し、チャネル状態報告を行う。基地局１００は、端末装置２００Ｄからのチャネル状態報告に基づいて、ＴＸＲＵ３及びＴＸＲＵ４の前段で乗算される最適な重み係数ｗを知得し、端末装置２００ＤへのＰＤＳＣＨを送信するためのビーム１０５Ｅを構成して送信することができる。
【００９５】
（２）ＣＳＩレポーティングモードの通知
基地局１００は、端末装置２００にＵＥ固有ビームフォームドダウンリンクＣＳＩ−ＲＳを無線リソース単位で測定し、測定結果を示す情報を送信させるための動作モードを示す情報を送信する。この動作モードを示す情報は、ＣＳＩレポーティングモード（CSI  reporting  mode）であってもよい。また、この動作モードを示す情報は、トランスミッションモードであってもよい。
【００９６】
・ＣＳＩレポーティングモード
まず、ＣＳＩレポーティングモードについて説明する。基地局１００は、ＲＲＣ接続要求を出したＦＤ−ＭＩＭＯ対応の端末装置２００に対し、ＲＲＣシグナリングでＣＱＩレポートコンフィギュレーション（CQI-ReportConfig）を通知する。ＣＱＩレポートコンフィギュレーションには、例えばＣＳＩレポーティングモード、ＣＱＩ−ＰＭＩ構成インデックス等が含まれる。
【００９７】
下記の表６は、ＣＳＩレポーティングモードの一覧を示している。例えば、下記の表６に示すように、ＣＳＩレポーティングモードにセル固有ビームフォームドＣＳＩ−ＲＳ又はＵＥ固有ビームフォームドダウンリンクＣＳＩ−ＲＳを測定するモードである、レポーティングモード４−０、４−１、４−２及び４−３が、新たに追加されてもよい。なお、下記の表６におけるその他のレポーティングモードは、既存のレポーティングモードである。
【００９８】
【表６】
2017184000.tif 000009
【００９９】
上記表６に示したように、ＣＳＩレポーティングモードの種別によって、チャネル状態報告に関する様々な設定が示される。詳しくは、ＣＳＩレポーティングモードの種別によって、報告タイミングが周期的又は非周期的のいずれであるかが示される。また、ＣＳＩレポーティングモードの種別によって、測定対象範囲がワイドバンド、サブバンド、又はスケジュールされたリソースブロックのいずれであるかが示される。また、ＣＳＩレポーティングモードの種別によって、ＰＭＩの報告が必要であるか否かが示される。また、ＣＳＩレポーティングモードの種別によって、測定対象となるＣＳＩ−ＲＳが、ビームフォームされていないＣＳＩ−ＲＳ、セル固有ビームフォームドＣＳＩ−ＲＳ、又はＵＥ固有ビームフォームドダウンリンクＣＳＩ−ＲＳのいずれであるかが示される。
【０１００】
・セル固有ビームフォームドＣＳＩ−ＲＳに関して
例えば、基地局１００は、最初にＦＤ−ＭＩＭＯのビームを割り当てる端末装置２００に、セル固有ビームフォームドダウンリンクＣＳＩ−ＲＳを測定させ報告させてもよい。そのために、基地局１００は、例えばレポーティングモード４−０を指定したＣＱＩレポートコンフィギュレーションを端末装置２００に通知する。上記表６に示したように、レポーティングモード４−０では、報告タイミングは非周期的であり、測定対象範囲はワイドバンドであり、ＰＭＩの報告は必要であり、測定対象となるＣＳＩ−ＲＳはセル固有ビームフォームドＣＳＩ−ＲＳである。
【０１０１】
・ＵＥ固有ビームフォームドダウンリンクＣＳＩ−ＲＳに関して
例えば、基地局１００は、一度ＦＤ−ＭＩＭＯのＰＤＳＣＨビームを割り当てたＲＲＣ接続中の端末装置２００に、ＵＥ固有ビームフォームドダウンリンクＣＳＩ−ＲＳを測定させ報告させてもよい。詳しくは、基地局１００は、端末装置２００に割り当てるリソースブロックにおいて、ＵＥ固有ビームフォームドダウンリンクＣＳＩ−ＲＳを頻繁に送信して、報告させる。これにより、セル固有ビームフォームドＣＳＩ−ＲＳをチャネル帯域幅全体で端末装置２００ごとに送信する必要が無くなるので、セル固有ビームフォームドＣＳＩ−ＲＳの送信のためのオーバーヘッドを削減することが可能となる。また、端末装置２００が例えば移動する場合であっても、ビームを適切に追従させることが可能となる。
【０１０２】
そのために、基地局１００は、例えばレポーティングモード４−３を指定したＣＱＩレポートコンフィギュレーションを端末装置２００に通知する。上記表６に示したように、レポーティングモード４−３では、報告タイミングは非周期的であり、測定対象範囲はスケジュールされたリソースブロックであり、ＰＭＩの報告は必要であり、測定対象となるＣＳＩ−ＲＳはＵＥ固有ビームフォームドダウンリンクＣＳＩ−ＲＳである。例えば、レポーティングモード４−３では、端末装置２００は、基地局１００がスケジューリングされたリソースブロックで送信するための推奨プリコーディングマトリクス、推奨プリコーディングマトリクスが使用されて同じリソースブロックで送信されるものと仮定した場合のコードワードごとのシングルＣＱＩを報告する。この場合、端末装置２００は、リソースブロックの位置を報告する必要はない。基地局１００が、ＵＥ固有ビームフォームドダウンリンクＣＳＩ−ＲＳを送信するリソースブロックを割り当てるためである。
【０１０３】
・トランスミッションモード
次いで、トランスミッションモードについて説明する。
【０１０４】
基地局１００は、端末装置２００に、上述したＣＳＩレポーティングモードの通知に代えて、又は共に、トランスミッションモードを通知してもよい。
【０１０５】
下記の表７は、ダウンリンクトランスミッションモードの一覧を示している。例えば、下記の表７に示すように、トランスミッションモード１１及び１２が追加されてもよい。トランスミッションモード１１は、ＦＤ−ＭＩＭＯのダウンリンク信号を送信するためのトランスミッションモードである。トランスミッションモード１２は、ＦＤ−ＭＩＭＯのダウンリンク信号のリソースブロックにおいてＵＥ固有ビームフォームドダウンリンクＣＳＩ−ＲＳを送信するためのトランスミッションモードである。なお、下記の表７におけるその他のトランスミッションモードは、既存のトランスミッションモードである。
【０１０６】
【表７】
2017184000.tif 000010
【０１０７】
基地局１００は、ＲＲＣ接続中のＦＤ−ＭＩＭＯ対応の端末装置２００に対して、ＲＲＣシグナリングでダウンリンクトランスミッションモードを通知する。例えば、ＣＳＩレポーティングモードとしてレポーティングモード４−３を通知する代わりに、トランスミッションモード１２が通知されてもよい。その場合、端末装置２００は、トランスミッションモード１２が通知されたことをもって、ＣＳＩレポーティングモードがレポーティングモード４−３であると判断してもよい。
【０１０８】
（３）ＣＳＩ−ＲＳ情報の通知
基地局１００は、ＣＳＩ−ＲＳ情報を端末装置２００に送信する。
【０１０９】
基地局１００は、ＦＤ−ＭＩＭＯ対応の端末装置２００に対し、ＲＲＣシグナリングでＣＳＩ−ＲＳ情報を通知する。ＣＳＩ−ＲＳ情報の内容は、表１を参照して上記説明した通り、ＣＳＩ−ＲＳの構成情報である。とりわけ、基地局１００は、セル固有ビームフォームドＣＳＩ−ＲＳに関するＣＳＩ−ＲＳ情報と、ＵＥ固有ビームフォームドダウンリンクＣＳＩ−ＲＳに関するＣＳＩ−１ＲＳコンフィギュレーションとを通知し得る。
【０１１０】
図１６に示した例に関して言えば、基地局１００は、端末装置２００Ｄに２つのビームフォーミングされたＣＳＩ−ＲＳで構成するＵＥ固有ビームフォームドダウンリンクＣＳＩ−ＲＳを送信するために、ＲＲＣシグナリングでＣＳＩ−ＲＳ情報を通知してもよい。一例としてアンテナポートの数を２とする。例えば、基地局１００は、ＣＳＩ  ｒｅｆｅｒｅｎｃｅ  Ｓｉｇｎａｌ  ｃｏｎｆｉｇｕｒａｔｉｏｎの値を０としてＣＳＩ−ＲＳ情報を通知する。そして、アンテナ１５及び１６が使用するリソースエレメント位置は、それぞれ番号が同一のスロット上の（９，５），（９，５）となる。なお、同一のリソースエレメントを使用することは、多重することを意味する。
【０１１１】
上記では、ＵＥ固有ビームフォームドダウンリンクＣＳＩ−ＲＳを送信するために、ＲＲＣシグナリングでＣＳＩ−ＲＳ情報を送信するものとして説明したが、本技術はかかる例に限定されない。例えば、基地局１００は、ＵＥ固有ビームフォームドダウンリンクＣＳＩ−ＲＳを送信することを示す情報を、ダウンリンク制御情報（DCI：Downlink  Control  Information)に含めて送信しても良い。また、基地局１００は、ＵＥ固有ビームフォームドダウンリンクＣＳＩ−ＲＳの送信に用いるアンテナポート数を、ＤＣＩに含めて送信してもよい。そして、基地局１００は、これらの情報を含むＤＣＩは、ダウンリンクのリソースを割り当てる度に送信してもよい。これにより、基地局１００は、スケジューリングの度に、ＵＥ固有ビームフォームドダウンリンクＣＳＩ−ＲＳの情報を通知することが可能となる。それに伴い、頻繁にＵＥ固有ビームフォームドダウンリンクＣＳＩ−ＲＳのＣＳＩ−ＲＳ情報を変更することが可能となる。
【０１１２】
（４）ＣＳＩレポートのトリガ
基地局１００は、端末装置２００にＣＳＩリクエストを通知する。これにより、基地局１００は、端末装置２００からＣＳＩレポートを受けることが可能となる。
【０１１３】
ＣＳＩリクエストは、例えばＰＤＣＣＨ上のＤＣＩフォーマット０又は４を用いて行われる。下記の表８に、ＣＳＩリクエストのビット列及び内容の一覧を示す。下記の表８に示すように、ＣＳＩリクエストは、上記表５に示したビット列に対し、ビームフォームされたＣＳＩ−ＲＳに対応するビットが追加され、３ビットとなってもよい。
【０１１４】
【表８】
2017184000.tif 000011
【０１１５】
例えば、最上位ビットが“１”の場合、端末装置２００は、ビームフォームされたＣＳＩ−ＲＳに対する、ＣＳＩレポートの送信を要求されていることを認識する。その他、新たに追加される１以上のビットが、さらに複数種類のＣＳＩプロセスに対応付けられてもよい。ここでのビームフォーミングされたＣＳＩ−ＲＳとは、セル固有ビームフォームドＣＳＩ−ＲＳであってもよいし、ＵＥ固有ビームフォームドダウンリンクＣＳＩ−ＲＳであってもよい。
【０１１６】
ここで、本実施例では、基地局１００は、ＵＥ固有ビームフォームドダウンリンクＣＳＩ−ＲＳを含むＤＬデータを端末装置２００に割り当てたことを、ＤＣＩにより通知する。この通知が、ＣＳＩレポートのトリガとなってもよい。即ち、ＵＥ固有ビームフォームドダウンリンクＣＳＩ−ＲＳに関するＣＳＩレポートの要求には、ＣＳＩリクエストが使用されなくてもよい。
【０１１７】
（５）ＣＳＩレポート
端末装置２００は、端末装置２００ごとに割り当てられた無線リソースにおいて送信された端末固有のリファレンス信号（即ち、ＵＥ固有ビームフォームドダウンリンクＣＳＩ−ＲＳ）を、無線リソース単位で測定し、測定結果を示す情報を送信する。この測定結果を示す情報は、基地局１００による送信ビーム形成のために用いられる。本実施例では、この測定結果を示す情報は、チャネル状態報告（即ち、ＣＳＩレポート）である。端末装置２００ごとの無線リソースにおいてＵＥ固有ビームフォームドダウンリンクＣＳＩ−ＲＳが送信されるので、ビームフォームされたセル固有ビームフォームドＣＳＩ−ＲＳが頻繁に送信される場合に生じるオーバーヘッドの問題を回避することが可能となる
【０１１８】
端末装置２００は、ＵＥ固有ビームフォームドダウンリンクＣＳＩ−ＲＳが割り当てられたことをＤＣＩにより通知されたこと、即ちＵＥ固有ビームフォームドダウンリンクＣＳＩ−ＲＳを含むＤＬデータ受信したことをトリガとして、その所定数のサブフレーム後にＣＳＩレポートを送信する。端末装置２００は、ＵＥ固有ビームフォームドダウンリンクＣＳＩ−ＲＳを含むリソースブロックで送信されたデータへのＨＡＲＱ（Hybrid  Automatic  repeat−request）応答と共に、ＣＳＩレポートを送信してもよい。ＣＳＩレポートの送信には、例えばＰＵＣＣＨが用いられ得る。もちろん、ＵＥ固有ビームフォームドダウンリンクＣＳＩ−ＲＳに対するＣＳＩレポートが、ＣＳＩリクエストをトリガとして行われてもよい。
【０１１９】
他にも、レポートの対象は、セル固有ビームフォームドＣＳＩ−ＲＳであってもよい。その場合、端末装置２００は、基地局１００からのＣＳＩリクエストの受信をトリガとして、ＣＳＩリクエストから所定数のサブフレーム後に、ＣＳＩレポートを送信する。ＣＳＩレポートの送信には、例えばアップリンク制御情報（ＵＣＩ：Uplink  Control  Information）が用いられ得る。
【０１２０】
上述した所定数のサブフレームとは、例えば４サブフレームであってもよいし、任意の数のサブフレームであってもよい。
【０１２１】
ＣＳＩレポートには、ＣＱＩ（Channel  Quality  Indicators）、ＰＭＩ（Precoding  Matrix  Indicators）、ＰＴＩ（Precoding  Type  Indicators）、及びＲＩ（Rank  Indicators）等が含まれる。
【０１２２】
（６）ビームの割り当て
基地局１００は、端末装置２００から得たＣＳＩレポートに基づいて、ビームの割り当てを行う。ビームの割り当てとは、アンテナポートの指定及び端末固有の重み行列の生成等を指す。
【０１２３】
例えば、基地局１００は、セル固有ビームフォームドＣＳＩ−ＲＳに関するＣＳＩレポートに基づいて、ＵＥ固有ビームフォームドダウンリンクＣＳＩ−ＲＳの送信に用いるビームの割り当てを行う。これにより、基地局１００は、ＵＥ固有ビームフォームドダウンリンクＣＳＩ−ＲＳの送信に用いるビームを、適切に割り当てることが可能となる。
【０１２４】
また、基地局１００は、ＵＥ固有ビームフォームドダウンリンクＣＳＩ−ＲＳに関するＣＳＩレポートに基づいて、ＵＥ固有ビームフォームドダウンリンクＣＳＩ−ＲＳの送信に用いるビームの再割り当てを行う。これにより、基地局１００は、移動する端末装置２００にビームを効率的に追従させることが可能となる。
【０１２５】
（７）処理の流れ
以下、図１７及び図１８を参照して、本実施例における処理の流れを説明する。
【０１２６】
図１７は、本実施例に係るシステム１において実行される通信処理の流れの一例を示すシーケンス図である。本シーケンスには、基地局１００及び端末装置２００が関与する。
【０１２７】
図１７に示すように、まず、基地局１００は、マスター情報及びシステム情報を報知し、ＣＲＳ及びＣＳＩ−ＲＳを送信する（ステップＳ１０２）。ここで送信されるＣＳＩ−ＲＳは、セル固有ビームフォームドＣＳＩ−ＲＳであってもよい。次いで、端末装置２００は、電源ＯＮし（ステップＳ１０４）、セルサーチ（ステップＳ１０６）及びセル選択（ステップＳ１０８）を行う。次に、端末装置２００はＲＲＣ接続要求を基地局１００に送信し（ステップＳ１１０）、基地局１００はＲＲＣ接続許可を端末装置２００に送信する（ステップＳ１１２）。
【０１２８】
次いで、基地局１００は、ＣＳＩ−ＲＳ情報及びＣＱＩレポートコンフィギュレーションを、ＲＲＣシグナリングにより端末装置２００に送信する（ステップＳ１１４）。次に、端末装置２００は、受信したＣＳＩ−ＲＳ情報及びＣＱＩレポートコンフィギュレーションに基づいて、セル固有ビームフォームドＣＳＩ−ＲＳを測定する（ステップＳ１１６）。そして、基地局１００がＣＳＩリクエストを端末装置２００に送信すると（ステップＳ１１８）、端末装置２００は、その４サブフレーム後に、チャネル状態報告としてセル固有ビームフォームドＣＳＩ−ＲＳのＣＳＩレポートを基地局１００に送信する（ステップＳ１２０）。
【０１２９】
次いで、基地局１００は、受信したＣＳＩレポートに基づいて、端末装置２００へのビームのための端末固有重み行列を生成する（ステップＳ１２２）。次に、基地局１００は、ＣＳＩ−ＲＳ情報及びＣＱＩレポートコンフィギュレーションを、ＲＲＣシグナリングにより端末装置２００に送信する（ステップＳ１２４）。次いで、基地局１００は、端末装置２００向けデータとして、ＰＤＳＣＨ、ＤＭ−ＲＳ及びＤＣＩを送信する（ステップＳ１２６）。このＤＣＩには、基地局１００が端末固有重み行列を乗算したＵＥ固有ビームフォームドダウンリンクＣＳＩ−ＲＳのリソース位置を示す情報が含まれていてもよく、当該リソース位置においてＵＥ固有ビームフォームドダウンリンクＣＳＩ−ＲＳが送信されてもよい。次に、端末装置２００は、ＵＥ固有ビームフォームドダウンリンクＣＳＩ−ＲＳを測定する（ステップＳ１２８）。そして、端末装置２００は、受信応答として、ＨＡＲＱ応答、及びＣＳＩレポートを基地局１００に送信する（ステップＳ１３０）。この受信応答は、ＵＥ固有ビームフォームドダウンリンクＣＳＩ−ＲＳの４サブフレーム後に送信されてもよい。
【０１３０】
以上、本実施例における通信処理の流れの一例を説明した。続いて、実施例における通信処理の流れの他の一例を説明する。
【０１３１】
図１８は、本実施例に係るシステム１において実行される通信処理の流れの一例を示すシーケンス図である。本シーケンスには、基地局１００及び端末装置２００が関与する。また、本シーケンスにおけるステップＳ２０２〜Ｓ２２８の処理は、図１７を参照して説明したシーケンスにおけるステップＳ１０２〜Ｓ１２８の処理と同様であるので、ここでの説明は省略する。
【０１３２】
ステップＳ２２８の後、端末装置２００は、受信応答として、ＨＡＲＱ応答を基地局１００に送信する（ステップＳ２３０）。そして、基地局１００がＣＳＩリクエストを端末装置２００に送信すると（ステップＳ２３２）、端末装置２００は、その４サブフレーム後に、チャネル状態報告としてＵＥ固有ビームフォームドダウンリンクＣＳＩ−ＲＳのＣＳＩレポートを基地局１００に送信する（ステップＳ２３４）。
【０１３３】
＜３．２．第２の実施例＞
本実施例は、サブバンド単位のチャネル状態報告として、ＵＥ固有ビームフォームドダウンリンクＣＳＩ−ＲＳの測定結果を報告する例である。以下、第１の実施例と異なる部分について主に説明する。
【０１３４】
（１）サブバンド単位のチャネル状態報告
端末装置２００は、無線リソース単位の測定結果を示す情報を、サブバンド単位の測定結果を示す情報として送信する。より詳しくは、端末装置２００は、サブバンドに含まれる無線リソース単位の、ＵＥ固有ビームフォームドダウンリンクＣＳＩ−ＲＳの測定結果を示す情報を、サブバンド単位の測定結果を示す情報として送信する。ここでの測定結果を示す情報とは、チャネル状態報告であってもよい。
【０１３５】
本実施例では、基地局１００から割り当てられる、ＵＥ固有ビームフォームドダウンリンクＣＳＩ−ＲＳを含むリソースブロックは、チャネル帯域幅に応じて決まる１つのサブバンドを構成するリソースブロック数を満たさなくてもよい。これにより、サブバンド全体に渡ってＵＥ固有ビームフォームドダウンリンクＣＳＩ−ＲＳを測定していなくても報告することが可能となるので、処理負荷を軽減することが可能となる。
【０１３６】
（２）ＣＳＩレポーティングモードの通知
基地局１００は、端末装置２００にＣＳＩレポーティングモードを通知する。
【０１３７】
本実施例では、上記表６に示したＣＳＩレポーティングモードのうち、レポーティングモード４−０、４−１、及び４−２が、新たに追加されてもよい。
【０１３８】
・セル固有ビームフォームドＣＳＩ−ＲＳに関して
例えば、基地局１００は、最初にＦＤ−ＭＩＭＯのビームを割り当てる端末装置２００に対し、レポーティングモード４−０を通知する。この場合の動作は、上述した第１の実施例と同様である。
【０１３９】
・ＵＥ固有ビームフォームドダウンリンクＣＳＩ−ＲＳに関して
例えば、基地局１００は、一度ＦＤ−ＭＩＭＯのＰＤＳＣＨビームを割り当てたＲＲＣ接続中の端末装置２００に、例えばレポーティングモード４−１を通知する。本実施例では、レポーティングモード４−１が通知された場合に、端末装置２００は、ＵＥ固有ビームフォームドダウンリンクＣＳＩ−ＲＳを測定して報告する。
【０１４０】
上記表６に示したように、レポーティングモード４−１では、報告タイミングは非周期的であり、測定対象範囲はサブバンド（UE  selected  sub-band）であり、ＰＭＩの報告は必要であり、測定対象となるＣＳＩ−ＲＳはセル固有ビームフォームドＣＳＩ−ＲＳである。例えば、レポーティングモード４−１では、端末装置２００は、ＵＥ固有ビームフォームドダウンリンクＣＳＩ−ＲＳを含むリソースブックがスケジューリングされた場合に、このリソースブロックが含まれるサブバンドにおける推奨プリコーディングマトリクス、推奨プリコーディングマトリクスが使用されて同じリソースブロックで送信されるものと仮定した場合のコードワードごとのシングルＣＱＩを報告する。本実施例では、端末装置２００は、このリソースブロックが含まれるサブバンドの位置を報告する。
【０１４１】
・トランスミッションモード
上述した第１の実施例と同様に、上記表７に示したトランスミッションモード１１及び１２が追加されてもよい。
【０１４２】
基地局１００は、ＲＲＣ接続中のＦＤ−ＭＩＭＯ対応の端末装置２００に対して、ＲＲＣシグナリングでダウンリンクトランスミッションモードを通知する。例えば、トランスミッションモード１２が通知され、ＣＳＩレポーティングモードとしてレポーティングモード４−１が通知された場合に、端末装置２００は、ＵＥ固有ビームフォームドダウンリンクＣＳＩ−ＲＳに関するＣＳＩレポートを送信する。
【０１４３】
（３）処理の流れ
本実施例に係る処理の流れは、通知されるＣＳＩレポーティングモード及びそれに応じたＣＳＩレポートの内容が異なり、その他は第１の実施例と同様であるので、ここでの詳細な説明は省略する。
【０１４４】
＜３．３．第３の実施例＞
本実施例は、メジャメントレポートのトリガ条件に、ＵＥ固有ビームフォームドダウンリンクＣＳＩ−ＲＳの受信強度に関する条件が追加される例である。
【０１４５】
（１）メジャメントコンフィギュレーションの通知
基地局１００は、メジャメントコンフィギュレーションを端末装置２００に通知する。以下ではまず既存の方法について説明した上で、本実施例に係る方法を説明する。
【０１４６】
・既存の方法
ｅＮＢは、ＲＲＣ接続要求を出したＵＥに対し、ＲＲＣシグナリングでメジャメントコンフィギュレーション（measurement  configuration）を通知する。メジャメントコンフィギュレーションには、メジャメントオブジェト（Measurement  Objects）、トリガリングメカニズム、レポーティングコンフィギュレーション（Reporting  configurations）、メジャメントアイデンティティ（Measurement  Identities）等が含まれる。メジャメントオブジェトとは、測定対象を指定する情報である。トリガリングメカニズムとは、イベントドリブン（Event  driven（Ａ１−Ａ６））か周期的か（periodic（タイマの終了））を示す情報である。レポーティングコンフィギュレーションとは、ＲＳＲＰ（Reference  Signal  Received  Power）又はＲＳＲＱ（Reference  Signal  Received  Quality）の指定を示す情報である。メジャメントアイデンティティとは、メジャメントオブジェトとレポーティングコンフィギュレーションとを対応付ける情報である。
【０１４７】
・本実施例に係る方法
基地局１００は、ＦＤ−ＭＩＭＯ対応の端末装置２００に対し、メジャメントコンフィギュレーションを通知する。とりわけ、基地局１００は、メジャメントコンフィギュレーションにおいて、測定対象としてＵＥ固有ビームフォームドダウンリンクＣＳＩ−ＲＳのＲＳＲＰ（即ち、ＣＳＩ−ＲＳＲＰ）を指定する。そして、基地局１００は、ＣＳＩ−ＲＳ情報には、ＵＥ固有ビームフォームドダウンリンクＣＳＩ−ＲＳに関する情報を含める。また、基地局１００は、メジャメントコンフィギュレーションにおいて、測定対象としてサービングセルのＲＳＲＰ及びＲＳＲＱの他、ビームフォームドＣＳＩ−ＲＳのＣＳＩ−ＲＰを指定し、イベントドリブンのトリガリングメカニズムを指定する。
【０１４８】
（２）測定及び報告
端末装置２００は、メジャメントコンフィギュレーションに従って測定を行い、基地局１００に報告する。
【０１４９】
ＦＤ−ＭＩＭＯ対応の端末装置２００は、通知されたＣＳＩ−ＲＳ情報から、ＵＥ固有ビームフォームドダウンリンクＣＳＩ−ＲＳのリソース位置を判定する。そして、端末装置２００は、判定したリソース位置の受信強度を測定する。
【０１５０】
例えば、端末装置２００は、ＵＥ固有ビームフォームドダウンリンクＣＳＩ−ＲＳのＣＳＩ−ＲＳＲＰが所定の閾値より小さくなったことをトリガ条件として、メジャメントレポートを基地局１００に通知する。基地局１００は、端末装置２００からのメジャメントレポートにより、端末装置２００に割り当てているＵＥ固有ビームフォームドダウンリンクＣＳＩ−ＲＳが適切ではないことを知得することが可能である。このため、基地局１００は、端末装置２００にセル固有ビームフォームドＣＳＩ-ＲＳに関するチャネル状態報告を要求して、割り当てるべきビームのアンテナポート又は重み行列を再検討することが可能となる。
【０１５１】
メジャメントレポートのトリガイベントとしては、例えば既存の６つのイベントが用いられ得る。
−Event  A1：Serving  cell  becomes  better  than  a  threshold
−Event  A2：Serving  cell  becomes  worse  than  a  threshold
−Event  A3：Neighbour  cell  becomes  better  than  the  serving  cell  by  an  offset
−Event  A4：Neighbour  cell  becomes  better  than  a  threshold
−Event  A5：Serving  cell  becomes  worse  than  threshold1  while  neighboring  cells  becomes  better  than  threshold  2
−Event  A6：Neighbour  cell  becomes  better  than  a  secondary  cell  by  an  offset
【０１５２】
端末装置２００は、測定対象を測定し、測定結果がトリガイベントの条件を満たした場合にメジャメントレポートを基地局１００へ送信する。測定対象としては、サービングセルのＣＲＳのＲＳＲＰ及びＲＳＲＱ、隣接セルのＣＲＳのＲＳＲＰ及びＲＳＲＱ等の、従来からの測定対象が挙げられる。本実施例では、さらに、測定対象として、ＣＳＩ−ＲＳ情報において指定されたＣＳＩ−ＲＳのＣＳＩ−ＲＳＲＰ、隣接セルが送信するＣＳＩ−ＲＳのＣＳＩ−ＩＭ−ＲＳＲＰが加えられてもよい。
【０１５３】
以下では一例として、サービングセルの測定対象をＵＥ固有ビームフォームドダウンリンクＣＳＩ−ＲＳのＣＳＩ−ＲＳＲＰとする、イベントＡ２に基づくメジャメントレポートによる干渉制御の例を説明する。
【０１５４】
イベントＡ２は、サービングセルの測定値が所定の閾値よりも小さくなった場合のトリガである。ここで、エンタリング条件（Entering  condition）Ａ２−１は下記の数式（２）で、リービング条件（Leaving  condition）Ａ２−２は下記の数式（３）で、それぞれ表される。
【０１５５】
【数２】
2017184000.tif 000012
【数３】
2017184000.tif 000013
【０１５６】
ここで、Ｍｓは、サービングセルの測定値であり、本例では、ＵＥ固有ビームフォームドダウンリンクＣＳＩ−ＲＳのＣＳＩ−ＲＳＲＰである。Ｈｙｓは、本イベントのヒステリシスである。Ｔｈｒｅｓｈは、本イベントの所定の閾値である。ＭｓはＲＳＲＰをｄＢｍの単位で、ＲＳＲＱをｄＢの単位で示す。ＨｙｓはｄＢの単位で示される。ＴｈｒｅｓｈはＭｓと同じ単位で示される。
【０１５７】
このように、サービングセルのＵＥ固有ビームフォームドダウンリンクＣＳＩ−ＲＳのＣＳＩ−ＲＳＲＰが所定の閾値よりも小さくなった場合、メジャメントレポートが基地局１００に通知される。
【０１５８】
端末装置２００から基地局１００へ通知されるメジャメントレポートには、例えばメジャメントレポートＩＤ、ＣＳＩ−ＲＳコンフィギュレーションＩＤ等が含まれる。とりわけ、本実施形態では、サービングセルの測定値として、ＵＥ固有ビームフォームドダウンリンクＣＳＩ−ＲＳの受信強度を示す情報（例えば、ＣＳＩ−ＲＳＲＰ）がメジャメントレポートに含まれる。
【０１５９】
基地局１００は、メジャメントレポートＩＤから、イベントＡ２によりトリガされたメジャメントレポートであることを判断可能である。また、基地局１００は、サービングセルの測定値としてＵＥ固有ビームフォームドダウンリンクＣＳＩ−ＲＳのＣＳＩ−ＲＳＲＰが報告されていることから、基地局１００が端末装置２００に割り当てたＵＥ固有ビームフォームドダウンリンクＣＳＩ−ＲＳが適切でなくなったことを知得可能である。このため、基地局１００は、端末装置２００にセル固有ビームフォームドＣＳＩ-ＲＳに関するチャネル状態報告を要求して、端末装置２００に適したＵＥ固有ビームフォームドダウンリンクＣＳＩ−ＲＳを効率的に再検討することが可能となる。
【０１６０】
メジャメントレポートは、例えば端末装置２００が選択したアンテナポート番号を示す情報を含んでいてもよい。選択したアンテナポート番号を示す情報は、アンテナポート番号の列挙により表されてもよいし、アンテナポート分のビットマップにより表されてもよい。
【０１６１】
上記では、レポートタイミングがトリガ条件を満たしたときの例を示した。他にも、レポートタイミングは、メジャメントコンフィギュレーションで指定された定期的なタイミングであってもよい。また、レポートタイミングは、ビームの割り当てに変更があったとき、又はＦＤ−ＭＩＭＯ用のトランスミッションモード１２に遷移したときであってもよい。また、レポートタイミングは、ＣＱＩレポート要求があったときであってもよい。
【０１６２】
ＵＥ固有ビームフォームドダウンリンクＣＳＩ−ＲＳの測定結果は、スケジューリングされるリソースブロックの位置によって異なり得る。そこで、例えばサブバンドに含まれる複数のＵＥ固有ビームフォームドダウンリンクＣＳＩ−ＲＳのＣＳＩ−ＲＳＲＰが平均されて、サブバンドごとにレポートされてもよい。
【０１６３】
（３）処理の流れ
以下、図１９を参照して、本実施例における処理の流れを説明する。
【０１６４】
図１９は、本実施例に係るシステム１において実行される通信処理の流れの一例を示すシーケンス図である。本シーケンスには、基地局１００及び端末装置２００が関与する。
【０１６５】
図１９に示すように、まず、基地局１００は、マスター情報及びシステム情報を報知し、ＣＲＳ及びＣＳＩ−ＲＳを送信する（ステップＳ３０２）。ここで送信されるＣＳＩ−ＲＳは、セル固有ビームフォームドＣＳＩ−ＲＳであってもよい。次いで、端末装置２００は、電源ＯＮし（ステップＳ３０４）、セルサーチ（ステップＳ３０６）及びセル選択（ステップＳ３０８）を行う。次に、端末装置２００はＲＲＣ接続要求を基地局１００に送信し（ステップＳ３１０）、基地局１００はＲＲＣ接続許可を端末装置２００に送信する（ステップＳ３１２）。
【０１６６】
次いで、基地局１００は、ＣＳＩ−ＲＳ情報、ＣＱＩレポートコンフィギュレーション及びメジャメントコンフィギュレーションを、ＲＲＣシグナリングにより端末装置２００に送信する（ステップＳ３１４）。次に、端末装置２００は、受信したＣＳＩ−ＲＳ情報、ＣＱＩレポートコンフィギュレーション及びメジャメントコンフィギュレーションに基づいて、セル固有ビームフォームドＣＳＩ−ＲＳを測定する（ステップＳ３１６）。そして、端末装置２００は、トリガイベントを発火させるセル固有ビームフォームドＣＳＩ−ＲＳを検出して（ステップＳ３１８）、セル固有ビームフォームドＣＳＩ−ＲＳに関するメジャメントレポートを基地局１００に送信する（ステップＳ３２０）。また、基地局１００がＣＳＩリクエストを端末装置２００に送信すると（ステップＳ３２２）、端末装置２００は、その４サブフレーム後に、チャネル状態報告としてセル固有ビームフォームドＣＳＩ−ＲＳのＣＳＩレポートを基地局１００に送信する（ステップＳ３２４）。
【０１６７】
次いで、基地局１００は、受信したメジャメントレポート又はＣＳＩレポートに基づいて、端末装置２００へのビームのための端末固有重み行列を生成する（ステップＳ３２６）。次に、基地局１００は、トランスミッションモード及びメジャメントコンフィギュレーションを、ＲＲＣシグナリングにより端末装置２００に送信する（ステップＳ３２８）。次いで、基地局１００は、ユーザデータを端末装置２００に送信する（ステップＳ３３０）。本ユーザデータにおいて、基地局１００が端末固有重み行列を乗算したＵＥ固有ビームフォームドダウンリンクＣＳＩ−ＲＳ及びそのリソース位置を示す情報を含むＤＣＩが送信されてもよい。次に、端末装置２００は、ＵＥ固有ビームフォームドダウンリンクＣＳＩ−ＲＳを測定する（ステップＳ３３２）。そして、端末装置２００は、ＵＥ固有ビームフォームドダウンリンクＣＳＩ−ＲＳに関するメジャメントレポートを基地局１００に送信する（ステップＳ３３４）。また、基地局１００がＣＳＩリクエストを端末装置２００に送信すると（ステップＳ３３６）、端末装置２００は、その４サブフレーム後に、チャネル状態報告としてＵＥ固有ビームフォームドダウンリンクＣＳＩ−ＲＳのＣＳＩレポートを基地局１００に送信する（ステップＳ３３８）。
【０１６８】
＜＜４．第２の実施形態＞＞
本実施形態は、端末装置２００がＵＥ固有アップリンクＣＳＩ−ＲＳを送信する形態である。
【０１６９】
（１）概要
基地局１００は、端末装置２００ごとに割り当てられた無線リソースにおいて送信された端末固有のリファレンス信号（即ち、ＵＥ固有アップリンクＣＳＩ−ＲＳ）を、無線リソース単位で測定し、測定結果を示す情報を送信する。この測定結果を示す情報は、端末装置２００による送信ビーム形成のために用いられる。この測定結果を示す情報は、例えば端末装置２００がアップリンク送信に使用すべき重み行列の推奨値である。
【０１７０】
（２）技術的特徴
例えば、端末装置２００は、４×４のアンテナ素子で構成されるアンテナアレーを搭載するものとする。この場合、端末装置２００は、重み行列を用いて、アップリンクデータをビームフォーミングして送信することが可能である。
【０１７１】
端末装置２００は、ＲＲＣ接続時にＵＥケイパビリティ（UE  capability）を用いて、ＵＥ固有アップリンクＣＳＩ−ＲＳに関する設定情報を基地局１００に通知する。この設定情報には、例えばＦＤ−ＭＩＭＯへの対応、ＵＥ固有アップリンクＣＳＩ−ＲＳへの対応、及びＵＥ固有アップリンクＣＳＩ−ＲＳの送信に用いるアンテナポート数等が含まれる。
【０１７２】
基地局１００は、ＲＲＣ接続状態である端末装置２００に、ＵＥ固有アップリンクＣＳＩ−ＲＳを送信するための無線リソースを割り当てる。本実施例では、この無線リソースは、アップリンクである。以下、図２０を参照して、ＵＥ固有アップリンクＣＳＩ−ＲＳを含むアップリンクのリソース設定の一例を説明する。
【０１７３】
図２０は、本実施形態に係るリソース設定の一例を示す図である。図２０に示すように、サウンディングＲＳ（Sounding  Reference  Signals）は、チャネル帯域幅全体に渡って送信される。また、ＰＵＳＣＨ及びＰＵＣＣＨは、チャネル帯域幅の一部を用いて送信される。図２０に示すように、ＵＥ固有アップリンクＣＳＩ−ＲＳは、端末装置２００ごとに割り当てられるリソースブロックにおける、ＤＲＳ（Demodulation  Reference  Signals）の直後のスロットにおいて送信される。端末装置２００のアンテナポート数が２である場合、図２０に示すように、ＵＥ固有アップリンクＣＳＩ−ＲＳに２つのスロットが割り当てられる。
【０１７４】
基地局１００は、無線リソースの割り当て結果を示す情報を、ＤＣＩにより端末装置２００に通知する。また、基地局１００は、ＵＥ固有アップリンクＣＳＩ−ＲＳの送信を要求する情報を、ＤＣＩに含めて送信してもよい。これにより、基地局１００は、端末装置２００にＵＥ固有アップリンクＣＳＩ−ＲＳを送信させることが可能となる。
【０１７５】
端末装置２００は、アンテナアレーによりダウンリンクの信号を受信することで、伝搬の到来方向を推定する。これにより、端末装置２００は、送受信で周波数の違いはあるものの、送信時に使用すべき重み行列を大まかに予測することが可能となる。例えば、端末装置２００は、アンテナポート数が２である場合、２つのアンテナポートに対応する２種類の重み行列を選定する。なお、伝搬の到来報告の推定に用いられるダウンリンクの信号は、セル固有ビームフォームドＣＳＩ−ＲＳであってもよい。また、重み行列の選定は、基地局１００において行われてもよい。
【０１７６】
そして、端末装置２００は、複数種類の重み行列でビームフォーミングした、ＵＥ固有アップリンクＣＳＩ-ＲＳを、端末装置２００に割り当てられたリソースブロックを用いてアップリンクで送信する。詳しくは、端末装置２００は、基地局１００から割り当てられたアップリンクリソースにおいて、アンテナポート数に応じて決められたシンボル位置でＵＥ固有アップリンクＣＳＩ−ＲＳを送信する。次いで、基地局１００は、ＵＥ固有アップリンクＣＳＩ−ＲＳの測定結果に基づいて、端末装置２００がアップリンク送信に使用すべき重み行列を推定し、推奨値を通知する。これにより、端末装置２００は、通知された推奨値を用いて、アップリンクデータをビームフォーミングして送信することが可能となる。
【０１７７】
（３）処理の流れ
以下、図２１を参照して、本実施形態における処理の流れを説明する。
【０１７８】
図２１は、本実施形態に係るシステム１において実行される通信処理の流れの一例を示すシーケンス図である。本シーケンスには、基地局１００及び端末装置２００が関与する。
【０１７９】
図２１に示すように、まず、基地局１００は、マスター情報及びシステム情報を報知し、ＣＲＳ及びＣＳＩ−ＲＳを送信する（ステップＳ４０２）。ここで送信されるＣＳＩ−ＲＳは、セル固有ビームフォームドＣＳＩ−ＲＳであってもよい。次いで、端末装置２００は、電源ＯＮし（ステップＳ４０４）、セルサーチ（ステップＳ４０６）及びセル選択（ステップＳ４０８）を行う。次に、端末装置２００はＲＲＣ接続要求を基地局１００に送信し（ステップＳ４１０）、基地局１００はＲＲＣ接続許可を端末装置２００に送信する（ステップＳ４１２）。このＲＲＣ接続時に、端末装置２００は、ＵＥ固有アップリンクＣＳＩ−ＲＳに関する設定情報を、ＵＥケイパビリティにより基地局１００に通知する。
【０１８０】
次いで、基地局１００は、ＣＳＩ−ＲＳ情報、ＣＱＩレポートコンフィギュレーション及びメジャメントコンフィギュレーションを、ＲＲＣシグナリングにより端末装置２００に送信する（ステップＳ４１４）。次に、端末装置２００は、受信したＣＳＩ−ＲＳ情報、ＣＱＩレポートコンフィギュレーション及びメジャメントコンフィギュレーションに基づいて、セル固有ビームフォームドＣＳＩ−ＲＳを測定する（ステップＳ４１６）。そして、端末装置２００は、トリガイベントを発火させるセル固有ビームフォームドＣＳＩ−ＲＳを検出して（ステップＳ４１８）、セル固有ビームフォームドＣＳＩ−ＲＳに関するメジャメントレポートを基地局１００に送信する（ステップＳ４２０）。また、基地局１００がＣＳＩリクエストを端末装置２００に送信すると（ステップＳ４２２）、端末装置２００は、その４サブフレーム後に、チャネル状態報告としてセル固有ビームフォームドＣＳＩ−ＲＳのＣＳＩレポートを基地局１００に送信する（ステップＳ４２４）。
【０１８１】
次いで、基地局１００は、受信したメジャメントレポート又はＣＳＩレポートに基づいて、端末装置２００が送信するビームのための端末固有重み行列を生成する（ステップＳ４２６）。次に、基地局１００は、トランスミッションモード及びメジャメントコンフィギュレーションを、ＲＲＣシグナリングにより端末装置２００に送信する（ステップＳ４２８）。次いで、基地局１００及び端末装置２００は、ユーザデータを送受信する（ステップＳ４３０）。このとき、基地局１００から端末装置２００へ、基地局１００が生成した端末固有重み行列が送信されてもよい。次に、端末装置２００は、基地局１００により生成された端末固有重み行列を乗算したＵＥ固有アップリンクＣＳＩ−ＲＳを送信する（ステップＳ４３２）。次いで、基地局１００は、ＵＥ固有アップリンクＣＳＩ−ＲＳを測定して、メジャメントレポートを端末装置２００に送信する（ステップＳ４３４）。次いで、基地局１００及び端末装置２００は、ユーザデータを送受信する（ステップＳ４３６）。
【０１８２】
＜＜５．応用例＞＞
本開示に係る技術は、様々な製品へ応用可能である。例えば、基地局１００は、マクロｅＮＢ又はスモールｅＮＢなどのいずれかの種類のｅＮＢ（evolved  Node  B）として実現されてもよい。スモールｅＮＢは、ピコｅＮＢ、マイクロｅＮＢ又はホーム（フェムト）ｅＮＢなどの、マクロセルよりも小さいセルをカバーするｅＮＢであってよい。その代わりに、基地局１００は、ＮｏｄｅＢ又はＢＴＳ（Base  Transceiver  Station）などの他の種類の基地局として実現されてもよい。基地局１００は、無線通信を制御する本体（基地局装置ともいう）と、本体とは別の場所に配置される１つ以上のＲＲＨ（Remote  Radio  Head）とを含んでもよい。また、後述する様々な種類の端末が一時的に又は半永続的に基地局機能を実行することにより、基地局１００として動作してもよい。さらに、基地局１００の少なくとも一部の構成要素は、基地局装置又は基地局装置のためのモジュールにおいて実現されてもよい。
【０１８３】
また、例えば、端末装置２００は、スマートフォン、タブレットＰＣ（Personal  Computer）、ノートＰＣ、携帯型ゲーム端末、携帯型／ドングル型のモバイルルータ若しくはデジタルカメラなどのモバイル端末、又はカーナビゲーション装置などの車載端末として実現されてもよい。また、端末装置２００は、Ｍ２Ｍ（Machine  To  Machine）通信を行う端末（ＭＴＣ（Machine  Type  Communication）端末ともいう）として実現されてもよい。さらに、端末装置２００の少なくとも一部の構成要素は、これら端末に搭載されるモジュール（例えば、１つのダイで構成される集積回路モジュール）において実現されてもよい。
【０１８４】
＜５．１．基地局に関する応用例＞
（第１の応用例）
図２２は、本開示に係る技術が適用され得るｅＮＢの概略的な構成の第１の例を示すブロック図である。ｅＮＢ８００は、１つ以上のアンテナ８１０、及び基地局装置８２０を有する。各アンテナ８１０及び基地局装置８２０は、ＲＦケーブルを介して互いに接続され得る。
【０１８５】
アンテナ８１０の各々は、単一の又は複数のアンテナ素子（例えば、ＭＩＭＯアンテナを構成する複数のアンテナ素子）を有し、基地局装置８２０による無線信号の送受信のために使用される。ｅＮＢ８００は、図２２に示したように複数のアンテナ８１０を有し、複数のアンテナ８１０は、例えばｅＮＢ８００が使用する複数の周波数帯域にそれぞれ対応してもよい。なお、図２２にはｅＮＢ８００が複数のアンテナ８１０を有する例を示したが、ｅＮＢ８００は単一のアンテナ８１０を有してもよい。
【０１８６】
基地局装置８２０は、コントローラ８２１、メモリ８２２、ネットワークインタフェース８２３及び無線通信インタフェース８２５を備える。
【０１８７】
コントローラ８２１は、例えばＣＰＵ又はＤＳＰであってよく、基地局装置８２０の上位レイヤの様々な機能を動作させる。例えば、コントローラ８２１は、無線通信インタフェース８２５により処理された信号内のデータからデータパケットを生成し、生成したパケットをネットワークインタフェース８２３を介して転送する。コントローラ８２１は、複数のベースバンドプロセッサからのデータをバンドリングすることによりバンドルドパケットを生成し、生成したバンドルドパケットを転送してもよい。また、コントローラ８２１は、無線リソース管理（Radio  Resource  Control）、無線ベアラ制御（Radio  Bearer  Control）、移動性管理（Mobility  Management）、流入制御（Admission  Control）又はスケジューリング（Scheduling）などの制御を実行する論理的な機能を有してもよい。また、当該制御は、周辺のｅＮＢ又はコアネットワークノードと連携して実行されてもよい。メモリ８２２は、ＲＡＭ及びＲＯＭを含み、コントローラ８２１により実行されるプログラム、及び様々な制御データ（例えば、端末リスト、送信電力データ及びスケジューリングデータなど）を記憶する。
【０１８８】
ネットワークインタフェース８２３は、基地局装置８２０をコアネットワーク８２４に接続するための通信インタフェースである。コントローラ８２１は、ネットワークインタフェース８２３を介して、コアネットワークノード又は他のｅＮＢと通信してもよい。その場合に、ｅＮＢ８００と、コアネットワークノード又は他のｅＮＢとは、論理的なインタフェース（例えば、Ｓ１インタフェース又はＸ２インタフェース）により互いに接続されてもよい。ネットワークインタフェース８２３は、有線通信インタフェースであってもよく、又は無線バックホールのための無線通信インタフェースであってもよい。ネットワークインタフェース８２３が無線通信インタフェースである場合、ネットワークインタフェース８２３は、無線通信インタフェース８２５により使用される周波数帯域よりもより高い周波数帯域を無線通信に使用してもよい。
【０１８９】
無線通信インタフェース８２５は、ＬＴＥ（Long  Term  Evolution）又はＬＴＥ−Ａｄｖａｎｃｅｄなどのいずれかのセルラー通信方式をサポートし、アンテナ８１０を介して、ｅＮＢ８００のセル内に位置する端末に無線接続を提供する。無線通信インタフェース８２５は、典型的には、ベースバンド（ＢＢ）プロセッサ８２６及びＲＦ回路８２７などを含み得る。ＢＢプロセッサ８２６は、例えば、符号化／復号、変調／復調及び多重化／逆多重化などを行なってよく、各レイヤ（例えば、Ｌ１、ＭＡＣ（Medium  Access  Control）、ＲＬＣ（Radio  Link  Control）及びＰＤＣＰ（Packet  Data  Convergence  Protocol））の様々な信号処理を実行する。ＢＢプロセッサ８２６は、コントローラ８２１の代わりに、上述した論理的な機能の一部又は全部を有してもよい。ＢＢプロセッサ８２６は、通信制御プログラムを記憶するメモリ、当該プログラムを実行するプロセッサ及び関連する回路を含むモジュールであってもよく、ＢＢプロセッサ８２６の機能は、上記プログラムのアップデートにより変更可能であってもよい。また、上記モジュールは、基地局装置８２０のスロットに挿入されるカード若しくはブレードであってもよく、又は上記カード若しくは上記ブレードに搭載されるチップであってもよい。一方、ＲＦ回路８２７は、ミキサ、フィルタ及びアンプなどを含んでもよく、アンテナ８１０を介して無線信号を送受信する。
【０１９０】
無線通信インタフェース８２５は、図２２に示したように複数のＢＢプロセッサ８２６を含み、複数のＢＢプロセッサ８２６は、例えばｅＮＢ８００が使用する複数の周波数帯域にそれぞれ対応してもよい。また、無線通信インタフェース８２５は、図２２に示したように複数のＲＦ回路８２７を含み、複数のＲＦ回路８２７は、例えば複数のアンテナ素子にそれぞれ対応してもよい。なお、図２２には無線通信インタフェース８２５が複数のＢＢプロセッサ８２６及び複数のＲＦ回路８２７を含む例を示したが、無線通信インタフェース８２５は単一のＢＢプロセッサ８２６又は単一のＲＦ回路８２７を含んでもよい。
【０１９１】
図２２に示したｅＮＢ８００において、図１２を参照して説明した基地局１００に含まれる１つ以上の構成要素（例えば、制御部１５０）は、無線通信インタフェース８２５において実装されてもよい。あるいは、これらの構成要素の少なくとも一部は、コントローラ８２１において実装されてもよい。一例として、ｅＮＢ８００は、無線通信インタフェース８２５の一部（例えば、ＢＢプロセッサ８２６）若しくは全部、及び／又はコントローラ８２１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがｅＮＢ８００にインストールされ、無線通信インタフェース８２５（例えば、ＢＢプロセッサ８２６）及び／又はコントローラ８２１が当該プログラムを実行してもよい。以上のように、上記１つ以上の構成要素を備える装置としてｅＮＢ８００、基地局装置８２０又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０１９２】
また、図２２に示したｅＮＢ８００において、図１２を参照して説明した無線通信部１２０は、無線通信インタフェース８２５（例えば、ＲＦ回路８２７）において実装されてもよい。また、アンテナ部１１０は、アンテナ８１０において実装されてもよい。また、ネットワーク通信部１３０は、コントローラ８２１及び／又はネットワークインタフェース８２３において実装されてもよい。また、記憶部１４０は、メモリ８２２において実装されてもよい。
【０１９３】
（第２の応用例）
図２３は、本開示に係る技術が適用され得るｅＮＢの概略的な構成の第２の例を示すブロック図である。ｅＮＢ８３０は、１つ以上のアンテナ８４０、基地局装置８５０、及びＲＲＨ８６０を有する。各アンテナ８４０及びＲＲＨ８６０は、ＲＦケーブルを介して互いに接続され得る。また、基地局装置８５０及びＲＲＨ８６０は、光ファイバケーブルなどの高速回線で互いに接続され得る。
【０１９４】
アンテナ８４０の各々は、単一の又は複数のアンテナ素子（例えば、ＭＩＭＯアンテナを構成する複数のアンテナ素子）を有し、ＲＲＨ８６０による無線信号の送受信のために使用される。ｅＮＢ８３０は、図２３に示したように複数のアンテナ８４０を有し、複数のアンテナ８４０は、例えばｅＮＢ８３０が使用する複数の周波数帯域にそれぞれ対応してもよい。なお、図２３にはｅＮＢ８３０が複数のアンテナ８４０を有する例を示したが、ｅＮＢ８３０は単一のアンテナ８４０を有してもよい。
【０１９５】
基地局装置８５０は、コントローラ８５１、メモリ８５２、ネットワークインタフェース８５３、無線通信インタフェース８５５及び接続インタフェース８５７を備える。コントローラ８５１、メモリ８５２及びネットワークインタフェース８５３は、図２２を参照して説明したコントローラ８２１、メモリ８２２及びネットワークインタフェース８２３と同様のものである。
【０１９６】
無線通信インタフェース８５５は、ＬＴＥ又はＬＴＥ−Ａｄｖａｎｃｅｄなどのいずれかのセルラー通信方式をサポートし、ＲＲＨ８６０及びアンテナ８４０を介して、ＲＲＨ８６０に対応するセクタ内に位置する端末に無線接続を提供する。無線通信インタフェース８５５は、典型的には、ＢＢプロセッサ８５６などを含み得る。ＢＢプロセッサ８５６は、接続インタフェース８５７を介してＲＲＨ８６０のＲＦ回路８６４と接続されることを除き、図２２を参照して説明したＢＢプロセッサ８２６と同様のものである。無線通信インタフェース８５５は、図２３に示したように複数のＢＢプロセッサ８５６を含み、複数のＢＢプロセッサ８５６は、例えばｅＮＢ８３０が使用する複数の周波数帯域にそれぞれ対応してもよい。なお、図２３には無線通信インタフェース８５５が複数のＢＢプロセッサ８５６を含む例を示したが、無線通信インタフェース８５５は単一のＢＢプロセッサ８５６を含んでもよい。
【０１９７】
接続インタフェース８５７は、基地局装置８５０（無線通信インタフェース８５５）をＲＲＨ８６０と接続するためのインタフェースである。接続インタフェース８５７は、基地局装置８５０（無線通信インタフェース８５５）とＲＲＨ８６０とを接続する上記高速回線での通信のための通信モジュールであってもよい。
【０１９８】
また、ＲＲＨ８６０は、接続インタフェース８６１及び無線通信インタフェース８６３を備える。
【０１９９】
接続インタフェース８６１は、ＲＲＨ８６０（無線通信インタフェース８６３）を基地局装置８５０と接続するためのインタフェースである。接続インタフェース８６１は、上記高速回線での通信のための通信モジュールであってもよい。
【０２００】
無線通信インタフェース８６３は、アンテナ８４０を介して無線信号を送受信する。無線通信インタフェース８６３は、典型的には、ＲＦ回路８６４などを含み得る。ＲＦ回路８６４は、ミキサ、フィルタ及びアンプなどを含んでもよく、アンテナ８４０を介して無線信号を送受信する。無線通信インタフェース８６３は、図２３に示したように複数のＲＦ回路８６４を含み、複数のＲＦ回路８６４は、例えば複数のアンテナ素子にそれぞれ対応してもよい。なお、図２３には無線通信インタフェース８６３が複数のＲＦ回路８６４を含む例を示したが、無線通信インタフェース８６３は単一のＲＦ回路８６４を含んでもよい。
【０２０１】
図２３に示したｅＮＢ８３０において、図１２を参照して説明した基地局１００に含まれる１つ以上の構成要素（例えば、制御部１５０）は、無線通信インタフェース８５５及び／又は無線通信インタフェース８６３において実装されてもよい。あるいは、これらの構成要素の少なくとも一部は、コントローラ８５１において実装されてもよい。一例として、ｅＮＢ８３０は、無線通信インタフェース８５５の一部（例えば、ＢＢプロセッサ８５６）若しくは全部、及び／又はコントローラ８５１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがｅＮＢ８３０にインストールされ、無線通信インタフェース８５５（例えば、ＢＢプロセッサ８５６）及び／又はコントローラ８５１が当該プログラムを実行してもよい。以上のように、上記１つ以上の構成要素を備える装置としてｅＮＢ８３０、基地局装置８５０又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０２０２】
また、図２３に示したｅＮＢ８３０において、例えば、図１２を参照して説明した無線通信部１２０は、無線通信インタフェース８６３（例えば、ＲＦ回路８６４）において実装されてもよい。また、アンテナ部１１０は、アンテナ８４０において実装されてもよい。また、ネットワーク通信部１３０は、コントローラ８５１及び／又はネットワークインタフェース８５３において実装されてもよい。また、記憶部１４０は、メモリ８５２において実装されてもよい。
【０２０３】
＜５．２．端末装置に関する応用例＞
（第１の応用例）
図２４は、本開示に係る技術が適用され得るスマートフォン９００の概略的な構成の一例を示すブロック図である。スマートフォン９００は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２、１つ以上のアンテナスイッチ９１５、１つ以上のアンテナ９１６、バス９１７、バッテリー９１８及び補助コントローラ９１９を備える。
【０２０４】
プロセッサ９０１は、例えばＣＰＵ又はＳｏＣ（System  on  Chip）であってよく、スマートフォン９００のアプリケーションレイヤ及びその他のレイヤの機能を制御する。メモリ９０２は、ＲＡＭ及びＲＯＭを含み、プロセッサ９０１により実行されるプログラム及びデータを記憶する。ストレージ９０３は、半導体メモリ又はハードディスクなどの記憶媒体を含み得る。外部接続インタフェース９０４は、メモリーカード又はＵＳＢ（Universal  Serial  Bus）デバイスなどの外付けデバイスをスマートフォン９００へ接続するためのインタフェースである。
【０２０５】
カメラ９０６は、例えば、ＣＣＤ（Charge  Coupled  Device）又はＣＭＯＳ（Complementary  Metal  Oxide  Semiconductor）などの撮像素子を有し、撮像画像を生成する。センサ９０７は、例えば、測位センサ、ジャイロセンサ、地磁気センサ及び加速度センサなどのセンサ群を含み得る。マイクロフォン９０８は、スマートフォン９００へ入力される音声を音声信号へ変換する。入力デバイス９０９は、例えば、表示デバイス９１０の画面上へのタッチを検出するタッチセンサ、キーパッド、キーボード、ボタン又はスイッチなどを含み、ユーザからの操作又は情報入力を受け付ける。表示デバイス９１０は、液晶ディスプレイ（ＬＣＤ）又は有機発光ダイオード（ＯＬＥＤ）ディスプレイなどの画面を有し、スマートフォン９００の出力画像を表示する。スピーカ９１１は、スマートフォン９００から出力される音声信号を音声に変換する。
【０２０６】
無線通信インタフェース９１２は、ＬＴＥ又はＬＴＥ−Ａｄｖａｎｃｅｄなどのいずれかのセルラー通信方式をサポートし、無線通信を実行する。無線通信インタフェース９１２は、典型的には、ＢＢプロセッサ９１３及びＲＦ回路９１４などを含み得る。ＢＢプロセッサ９１３は、例えば、符号化／復号、変調／復調及び多重化／逆多重化などを行なってよく、無線通信のための様々な信号処理を実行する。一方、ＲＦ回路９１４は、ミキサ、フィルタ及びアンプなどを含んでもよく、アンテナ９１６を介して無線信号を送受信する。無線通信インタフェース９１２は、ＢＢプロセッサ９１３及びＲＦ回路９１４を集積したワンチップのモジュールであってもよい。無線通信インタフェース９１２は、図２４に示したように複数のＢＢプロセッサ９１３及び複数のＲＦ回路９１４を含んでもよい。なお、図２４には無線通信インタフェース９１２が複数のＢＢプロセッサ９１３及び複数のＲＦ回路９１４を含む例を示したが、無線通信インタフェース９１２は単一のＢＢプロセッサ９１３又は単一のＲＦ回路９１４を含んでもよい。
【０２０７】
さらに、無線通信インタフェース９１２は、セルラー通信方式に加えて、近距離無線通信方式、近接無線通信方式又は無線ＬＡＮ（Local  Area  Network）方式などの他の種類の無線通信方式をサポートしてもよく、その場合に、無線通信方式ごとのＢＢプロセッサ９１３及びＲＦ回路９１４を含んでもよい。
【０２０８】
アンテナスイッチ９１５の各々は、無線通信インタフェース９１２に含まれる複数の回路（例えば、異なる無線通信方式のための回路）の間でアンテナ９１６の接続先を切り替える。
【０２０９】
アンテナ９１６の各々は、単一の又は複数のアンテナ素子（例えば、ＭＩＭＯアンテナを構成する複数のアンテナ素子）を有し、無線通信インタフェース９１２による無線信号の送受信のために使用される。スマートフォン９００は、図２４に示したように複数のアンテナ９１６を有してもよい。なお、図２４にはスマートフォン９００が複数のアンテナ９１６を有する例を示したが、スマートフォン９００は単一のアンテナ９１６を有してもよい。
【０２１０】
さらに、スマートフォン９００は、無線通信方式ごとにアンテナ９１６を備えてもよい。その場合に、アンテナスイッチ９１５は、スマートフォン９００の構成から省略されてもよい。
【０２１１】
バス９１７は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２及び補助コントローラ９１９を互いに接続する。バッテリー９１８は、図中に破線で部分的に示した給電ラインを介して、図２４に示したスマートフォン９００の各ブロックへ電力を供給する。補助コントローラ９１９は、例えば、スリープモードにおいて、スマートフォン９００の必要最低限の機能を動作させる。
【０２１２】
図２４に示したスマートフォン９００において、図１３を参照して説明した端末装置２００に含まれる１つ以上の構成要素（例えば、制御部２４０）は、無線通信インタフェース９１２において実装されてもよい。あるいは、これらの構成要素の少なくとも一部は、プロセッサ９０１又は補助コントローラ９１９において実装されてもよい。一例として、スマートフォン９００は、無線通信インタフェース９１２の一部（例えば、ＢＢプロセッサ９１３）若しくは全部、プロセッサ９０１、及び／又は補助コントローラ９１９を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがスマートフォン９００にインストールされ、無線通信インタフェース９１２（例えば、ＢＢプロセッサ９１３）、プロセッサ９０１、及び／又は補助コントローラ９１９が当該プログラムを実行してもよい。以上のように、上記１つ以上の構成要素を備える装置としてスマートフォン９００又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０２１３】
また、図２４に示したスマートフォン９００において、例えば、図１３を参照して説明した無線通信部２２０は、無線通信インタフェース９１２（例えば、ＲＦ回路９１４）において実装されてもよい。また、アンテナ部２１０は、アンテナ９１６において実装されてもよい。また、記憶部２３０は、メモリ９０２において実装されてもよい。
【０２１４】
（第２の応用例）
図２５は、本開示に係る技術が適用され得るカーナビゲーション装置９２０の概略的な構成の一例を示すブロック図である。カーナビゲーション装置９２０は、プロセッサ９２１、メモリ９２２、ＧＰＳ（Global  Positioning  System）モジュール９２４、センサ９２５、データインタフェース９２６、コンテンツプレーヤ９２７、記憶媒体インタフェース９２８、入力デバイス９２９、表示デバイス９３０、スピーカ９３１、無線通信インタフェース９３３、１つ以上のアンテナスイッチ９３６、１つ以上のアンテナ９３７及びバッテリー９３８を備える。
【０２１５】
プロセッサ９２１は、例えばＣＰＵ又はＳｏＣであってよく、カーナビゲーション装置９２０のナビゲーション機能及びその他の機能を制御する。メモリ９２２は、ＲＡＭ及びＲＯＭを含み、プロセッサ９２１により実行されるプログラム及びデータを記憶する。
【０２１６】
ＧＰＳモジュール９２４は、ＧＰＳ衛星から受信されるＧＰＳ信号を用いて、カーナビゲーション装置９２０の位置（例えば、緯度、経度及び高度）を測定する。センサ９２５は、例えば、ジャイロセンサ、地磁気センサ及び気圧センサなどのセンサ群を含み得る。データインタフェース９２６は、例えば、図示しない端子を介して車載ネットワーク９４１に接続され、車速データなどの車両側で生成されるデータを取得する。
【０２１７】
コンテンツプレーヤ９２７は、記憶媒体インタフェース９２８に挿入される記憶媒体（例えば、ＣＤ又はＤＶＤ）に記憶されているコンテンツを再生する。入力デバイス９２９は、例えば、表示デバイス９３０の画面上へのタッチを検出するタッチセンサ、ボタン又はスイッチなどを含み、ユーザからの操作又は情報入力を受け付ける。表示デバイス９３０は、ＬＣＤ又はＯＬＥＤディスプレイなどの画面を有し、ナビゲーション機能又は再生されるコンテンツの画像を表示する。スピーカ９３１は、ナビゲーション機能又は再生されるコンテンツの音声を出力する。
【０２１８】
無線通信インタフェース９３３は、ＬＴＥ又はＬＴＥ−Ａｄｖａｎｃｅｄなどのいずれかのセルラー通信方式をサポートし、無線通信を実行する。無線通信インタフェース９３３は、典型的には、ＢＢプロセッサ９３４及びＲＦ回路９３５などを含み得る。ＢＢプロセッサ９３４は、例えば、符号化／復号、変調／復調及び多重化／逆多重化などを行なってよく、無線通信のための様々な信号処理を実行する。一方、ＲＦ回路９３５は、ミキサ、フィルタ及びアンプなどを含んでもよく、アンテナ９３７を介して無線信号を送受信する。無線通信インタフェース９３３は、ＢＢプロセッサ９３４及びＲＦ回路９３５を集積したワンチップのモジュールであってもよい。無線通信インタフェース９３３は、図２５に示したように複数のＢＢプロセッサ９３４及び複数のＲＦ回路９３５を含んでもよい。なお、図２５には無線通信インタフェース９３３が複数のＢＢプロセッサ９３４及び複数のＲＦ回路９３５を含む例を示したが、無線通信インタフェース９３３は単一のＢＢプロセッサ９３４又は単一のＲＦ回路９３５を含んでもよい。
【０２１９】
さらに、無線通信インタフェース９３３は、セルラー通信方式に加えて、近距離無線通信方式、近接無線通信方式又は無線ＬＡＮ方式などの他の種類の無線通信方式をサポートしてもよく、その場合に、無線通信方式ごとのＢＢプロセッサ９３４及びＲＦ回路９３５を含んでもよい。
【０２２０】
アンテナスイッチ９３６の各々は、無線通信インタフェース９３３に含まれる複数の回路（例えば、異なる無線通信方式のための回路）の間でアンテナ９３７の接続先を切り替える。
【０２２１】
アンテナ９３７の各々は、単一の又は複数のアンテナ素子（例えば、ＭＩＭＯアンテナを構成する複数のアンテナ素子）を有し、無線通信インタフェース９３３による無線信号の送受信のために使用される。カーナビゲーション装置９２０は、図２５に示したように複数のアンテナ９３７を有してもよい。なお、図２５にはカーナビゲーション装置９２０が複数のアンテナ９３７を有する例を示したが、カーナビゲーション装置９２０は単一のアンテナ９３７を有してもよい。
【０２２２】
さらに、カーナビゲーション装置９２０は、無線通信方式ごとにアンテナ９３７を備えてもよい。その場合に、アンテナスイッチ９３６は、カーナビゲーション装置９２０の構成から省略されてもよい。
【０２２３】
バッテリー９３８は、図中に破線で部分的に示した給電ラインを介して、図２５に示したカーナビゲーション装置９２０の各ブロックへ電力を供給する。また、バッテリー９３８は、車両側から給電される電力を蓄積する。
【０２２４】
図２５に示したカーナビゲーション装置９２０において、図１３を参照して説明した端末装置２００に含まれる１つ以上の構成要素（例えば、制御部２４０）は、無線通信インタフェース９３３において実装されてもよい。あるいは、これらの構成要素の少なくとも一部は、プロセッサ９２１において実装されてもよい。一例として、カーナビゲーション装置９２０は、無線通信インタフェース９３３の一部（例えば、ＢＢプロセッサ９３４）若しくは全部及び／又はプロセッサ９２１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがカーナビゲーション装置９２０にインストールされ、無線通信インタフェース９３３（例えば、ＢＢプロセッサ９３４）及び／又はプロセッサ９２１が当該プログラムを実行してもよい。以上のように、上記１つ以上の構成要素を備える装置としてカーナビゲーション装置９２０又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０２２５】
また、図２５に示したカーナビゲーション装置９２０において、例えば、図１３を参照して説明した無線通信部２２０は、無線通信インタフェース９３３（例えば、ＲＦ回路９３５）において実装されてもよい。また、アンテナ部２１０は、アンテナ９３７において実装されてもよい。また、記憶部２３０は、メモリ９２２において実装されてもよい。
【０２２６】
また、本開示に係る技術は、上述したカーナビゲーション装置９２０の１つ以上のブロックと、車載ネットワーク９４１と、車両側モジュール９４２とを含む車載システム（又は車両）９４０として実現されてもよい。即ち、制御部２４０を備える装置として車載システム（又は車両）９４０が提供されてもよい。車両側モジュール９４２は、車速、エンジン回転数又は故障情報などの車両側データを生成し、生成したデータを車載ネットワーク９４１へ出力する。
【０２２７】
＜＜６．まとめ＞＞
以上、図１〜図２５を参照して、本開示の一実施形態について詳細に説明した。上記説明したように、本実施形態に係る端末装置２００は、端末装置２００ごとに割り当てられた無線リソースにおいて送信された端末固有のリファレンス信号を、無線リソース単位で測定し、測定結果を示す情報を送信する。端末装置２００ごとの無線リソースにおいてＵＥ固有ビームフォームドダウンリンクＣＳＩ−ＲＳが送信されるので、ビームフォームされたセル固有ビームフォームドＣＳＩ−ＲＳの頻繁な送信が行われる場合に生じるオーバーヘッドの問題を回避することが可能となる。よって、基地局１００は、高速に移動する端末装置２００にも、効率よくＦＤ−ＭＩＭＯのビームを端末装置２００に提供し続けることが可能となる。また、端末装置２００が端末固有のリファレンス信号を測定する場合、端末装置２００は、高速に移動する場合であっても、効率よくＦＤ−ＭＩＭＯのビームを基地局１００に提供し続けることが可能となる。このようにして、上述した第１の課題が解消される。
【０２２８】
第２の課題に関しては、上述した第２の実施例において、端末装置２００は、無線リソース単位の測定結果を示す情報を、サブバンド単位の測定結果を示す情報として送信する。これにより、例えばＵＥ固有ビームフォームドダウンリンクＣＳＩ−ＲＳを含むリソースブロックが、サブバンドを構成するリソースブロック数を満たさなくても、サブバンド単位の測定結果を示す情報を報告することが可能となる。このようにして、第２の課題が解消される。
【０２２９】
第３の課題に関しては、上述した第１の実施例において、ＵＥ固有ビームフォームドダウンリンクＣＳＩ−ＲＳが、ＵＥ固有ビームフォームドダウンリンクＣＳＩ−ＲＳ又はセル固有ビームフォームドＣＳＩ−ＲＳの測定報告に基づいて送信される。これにより、ビームの再割り当てを適切に行うことが可能となる。このようにして、第３の課題が解消される。
【０２３０】
第４の課題に関しては、上述した第２の実施形態において、端末装置２００からＵＥ固有アップリンクＣＳＩ−ＲＳが送信される。これにより、基地局１００からのフィードバックが可能となる。このようにして、第４の課題が解消される。
【０２３１】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０２３２】
例えば、各実施形態及び各実施例において説明した技術は、適宜組み合わせることが可能である。例えば、第２の実施形態において、第３の実施例のように、基地局１００からのメジャメントレポートに、ＵＥ固有アップリンクＣＳＩ−ＲＳの受信強度を示す情報が含まれてもよい。
【０２３３】
また、本明細書においてフローチャート及びシーケンス図を用いて説明した処理は、必ずしも図示された順序で実行されなくてもよい。いくつかの処理ステップは、並列的に実行されてもよい。また、追加的な処理ステップが採用されてもよく、一部の処理ステップが省略されてもよい。
【０２３４】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０２３５】
なお、以下のような構成も本開示の技術的範囲に属する。
（１）
端末装置ごとに割り当てられた無線リソースにおいて送信された端末固有のリファレンス信号を前記無線リソース単位で測定し、測定結果を示す情報を送信する制御部、
を備える通信装置。
（２）
前記測定結果を示す情報は、送信ビーム形成のために用いられる、前記（１）に記載の通信装置。
（３）
前記制御部は、前記無線リソース単位の前記測定結果を示す情報を、サブバンド単位の前記測定結果を示す情報として送信する、前記（１）又は（２）に記載の通信装置。
（４）
前記制御部は、前記サブバンドに含まれる前記無線リソース単位の前記測定結果を示す情報を、サブバンド単位の前記測定結果を示す情報として送信する、前記（３）に記載の通信装置。
（５）
前記リファレンス信号の受信強度を示す情報がメジャメントレポートに含まれる、前記（１）〜（４）のいずれか一項に記載の通信装置。
（６）
前記通信装置は、端末装置である、前記（１）〜（５）のいずれか一項に記載の通信装置。
（７）
前記測定結果を示す情報は、チャネル状態報告である、前記（６）に記載の通信装置。
（８）
前記制御部は、物理アップリンク制御チャネルで前記チャネル状態報告を送信する、前記（７）に記載の通信装置。
（９）
前記制御部は、前記リファレンス信号を含む前記無線リソースで送信されたデータへのＨＡＲＱ（Ｈｙｂｒｉｄ  Ａｕｔｏｍａｔｉｃ  ｒｅｐｅａｔ−ｒｅｑｕｅｓｔ）応答と共に前記チャネル状態報告を送信する、前記（７）又は（８）に記載の通信装置。
（１０）
前記通信装置は、基地局である、前記（１）〜（５）のいずれか一項に記載の通信装置。
（１１）
測定結果を示す情報は、アップリンク送信に使用すべき重み行列の推奨値である、前記（１０）に記載の通信装置。
（１２）
端末装置に、前記端末装置ごとに割り当てられた無線リソースにおいて送信された端末固有のリファレンス信号を前記無線リソース単位で測定し、測定結果を示す情報を送信させるための動作モードを示す情報を送信する制御部、
を備える通信装置。
（１３）
前記制御部は、ＲＲＣ接続状態である前記端末装置に、前記リファレンス信号を送信するための前記無線リソースを割り当てる、前記（１２）に記載の通信装置。
（１４）
前記動作モードを示す情報は、ＣＳＩレポーティングモード（CSI  reporting  mode）を含む、前記（１２）又は（１３）に記載の通信装置。
（１５）
前記動作モードを示す情報は、トランスミッションモードを含む、前記（１２）〜（１４）のいずれか一項に記載の通信装置。
（１６）
前記無線リソースはダウンリンクである、前記（１２）〜（１５）のいずれか一項に記載の通信装置。
（１７）
前記制御部は、前記リファレンス信号を送信すること示す情報を、ダウンリンク制御情報に含めて送信する、前記（１６）に記載の通信装置。
（１８）
前記制御部は、前記リファレンス信号の送信に用いるアンテナポート数を、ダウンリンク制御情報に含めて送信する、前記（１６）又は（１７）に記載の通信装置。
（１９）
前記制御部は、前記リファレンス信号の構成情報を送信する、前記（１６）〜（１８）のいずれか一項に記載の通信装置。
（２０）
前記無線リソースはアップリンクである、前記（１２）〜（１５）のいずれか一項に記載の通信装置。
（２１）
前記制御部は、前記リファレンス信号の送信を要求する情報をダウンリンク制御情報に含めて送信する、前記（２０）に記載の通信装置。
（２２）
前記リファレンス信号は、前記端末装置によりアップリンクで送信される、前記（２０）又は（２１）に記載の通信装置。
（２３）
前記リファレンス信号の送信に用いるアンテナポート数は、ケイパビリティ情報に含めて前記端末装置から送信される、前記（２０）〜（２２）のいずれか一項に記載の通信装置。
（２４）
端末装置ごとに割り当てられた無線リソースにおいて送信された端末固有のリファレンス信号を前記無線リソース単位で測定し、測定結果を示す情報をプロセッサにより送信すること、
を含む通信方法。
（２５）
端末装置に、前記端末装置ごとに割り当てられた無線リソースにおいて送信された端末固有のリファレンス信号を前記無線リソース単位で測定し、測定結果を示す情報を送信させるための動作モードを示す情報をプロセッサにより送信すること、
を含む通信方法。
（２６）
コンピュータを、
端末装置ごとに割り当てられた無線リソースにおいて送信された端末固有のリファレンス信号を前記無線リソース単位で測定し、測定結果を示す情報を送信する制御部、
として機能させるためのプログラム。
（２７）
コンピュータを、
端末装置に、前記端末装置ごとに割り当てられた無線リソースにおいて送信された端末固有のリファレンス信号を前記無線リソース単位で測定し、測定結果を示す情報を送信させるための動作モードを示す情報を送信する制御部、
として機能させるためのプログラム。
【符号の説明】
【０２３６】
１     システム
１００  基地局
１１０  アンテナ部
１２０  無線通信部
１３０  ネットワーク通信部
１４０  記憶部
１５０  制御部
２００  端末装置
２１０  アンテナ部
２２０  無線通信部
２３０  記憶部
２４０  制御部
３００  中継装置
【図１】
2017184000.tif 000014
【図２】
2017184000.tif 000015
【図３】
2017184000.tif 000016
【図４】
2017184000.tif 000017
【図５】
2017184000.tif 000018
【図６】
2017184000.tif 000019
【図７】
2017184000.tif 000020
【図８】
2017184000.tif 000021
【図９】
2017184000.tif 000022
【図１０】
2017184000.tif 000023
【図１１】
2017184000.tif 000024
【図１２】
2017184000.tif 000025
【図１３】
2017184000.tif 000026
【図１４】
2017184000.tif 000027
【図１５】
2017184000.tif 000028
【図１６】
2017184000.tif 000029
【図１７】
2017184000.tif 000030
【図１８】
2017184000.tif 000031
【図１９】
2017184000.tif 000032
【図２０】
2017184000.tif 000033
【図２１】
2017184000.tif 000034
【図２２】
2017184000.tif 000035
【図２３】
2017184000.tif 000036
【図２４】
2017184000.tif 000037
【図２５】
2017184000.tif 000038